(57)【要約】  装飾オーナメントと、装飾オーナメントを有する固定具とを取り付けるアレンジメント及び方法が開示される。前記装飾オーナメントは、例えば、ビーズ、クリスタル、又は宝石であることができる。或る観点において、フレームから突出しているオーナメント取り付けポスト少なくとも１つと、開口部とを有するフレームを含むアレンジメントが提供されており、オーナメントを取り付けポスト上へ取り付ける場合に、前記オーナメントは取り付けポストによって保持される。ポストを第１ポジションへ偏向させ、オーナメントを取り付け、そして、ポストを元のポジションへ偏向させることによってオーナメントを保持し、前記オーナメントは、ポストと開口部とによって保持される。或る観点において、ワイヤー１つ以上によって（例えば、複数のオーナメントへワイヤーを通過させることによって）、フレーム中の開口部へオーナメントを取り付けることができる。前記アレンジメント及び方法をオーナメント固定具（例えば、シャンデリア及びランプ）へ使用することができる。
2007520861.tif 000002
【特許請求の範囲】
【請求項１】
内部表面をもつ開口部を有するフレームと；
オーナメント中の穿孔部へ嵌め込むように適合されており、前記オーナメントを前記フレームへ取り付けるための手段と；
を含むアレンジメントであって、オーナメントをフレームへ取り付ける場合に、取り付け手段と開口部の内部表面とによって前記オーナメントが保持される、装飾オーナメントの取り付け用の前記アレンジメント。
【請求項２】
オーナメントを取り付ける手段が、フレームから突出している取り付けポスト少なくとも１つを含む、請求項１に記載のアレンジメント。
【請求項３】
取り付けポスト少なくとも１つが、ピン及びワイヤーのうちの１つを含む、請求項２に記載のアレンジメント。
【請求項４】
取り付けポスト少なくとも１つが、フレームと一体化されている、請求項２又は３に記載のアレンジメント。
【請求項５】
開口部の内部表面と取り付け用手段とを相互に作用させて、オーナメントを予め定めた配置に向かわせる、請求項１〜４のいずれか一項に記載のアレンジメント。
【請求項６】
開口部の内部表面が、連続的な内部表面を含む、請求項１〜５のいずれか一項に記載のアレンジメント。
【請求項７】
取り付けポスト少なくとも１つが、第１ポジションから第２ポジションへの偏向へ適合している、請求項２〜６のいずれか一項に記載のアレンジメント。
【請求項８】
開口部が表面を規定し、そして、第１ポジションが前記表面に対して実質的に平行であり、第２ポジションが前記表面に対して実質的に非平行である、請求項７に記載のアレンジメント。
【請求項９】
開口部が、円形開口部、楕円形開口部、及び多角形開口部のうちの１つを含む、請求項１〜８のいずれか一項に記載のアレンジメント。
【請求項１０】
フレームが複数の開口部を含み、ここで、各々の前記開口部は、オーナメントをフレームへ取り付ける手段を少なくとも１つ含んでいる、請求項１〜９のいずれか一項に記載のアレンジメント。
【請求項１１】
装飾オーナメントが、ビーズ、クリスタル、石、及び宝石のうちの１つを含む、請求項１〜１０のいずれか一項に記載のアレンジメント。
【請求項１２】
オーナメントが、隣接したオーナメントによって更に保持される、請求項１〜１１のいずれか一項に記載のアレンジメント。
【請求項１３】
内部表面をもつ開口部と取り付けポストとを有するフレームへ装飾オーナメントを取り付ける方法であって、
第１ポジションから第２ポジションへ取り付けポストを偏向させ；
第２ポジションにおいてオーナメントを取り付けポスト上へ取り付け；
オーナメントを有する取り付けポストを第１ポジションへ偏向させ；そして
取り付けポストと開口部の内部表面とによって、オーナメントを開口部中で保持する、
ことを含む前記方法。
【請求項１４】
取り付けポストがピン及びワイヤーのうちの１つを含む、請求項１３に記載の方法。
【請求項１５】
開口部が表面を規定し、そして、第１ポジションにおいて、取り付けポストが前記表面に対して実質的に平行であり、第２ポジションにおいて、取り付けポストが前記表面に対して実質的に非平行である、請求項１３又は１４に記載の方法。
【請求項１６】
第１ポジションから第２ポジションへの取り付けポストの偏向が、取り付けポストが前記表面に対して少なくとも５度の角度を作る取り付けポストの偏向を含む、請求項１５に記載の方法。
【請求項１７】
隣接したオーナメントと接触させることによって、オーナメントを開口部中で保持することを更に含む、請求項１３〜１６のいずれか一項に記載の方法。
【請求項１８】
取り付けポストと開口部の内部表面との間の相互作用によって、オーナメントを予め定めた配向に向かわせることを更に含む、請求項１３〜１７のいずれか一項に記載の前記方法。
【請求項１９】
内部表面をもつ開口部少なくとも１つを有するフレームと；
オーナメント中の穿孔部へ嵌め込むように適合されており、前記オーナメントを前記フレームへ取り付けるための手段と；
を含むオーナメント固定具であって、
前記オーナメントを前記フレームへ取り付ける場合に、オーナメントをフレームへ取り付ける手段と、開口部少なくとも１つの内部表面とによって、オーナメントを保持する、前記オーナメント固定具。
【請求項２０】
オーナメントを取り付ける手段が、フレームから突出している取り付けポスト少なくとも１つを含む、請求項１９に記載のオーナメント固定具。
【請求項２１】
取り付けポストが、ピン及びワイヤーのうちの１つを含む、請求項２０に記載のオーナメント固定具。
【請求項２２】
開口部少なくとも１つが複数の開口部を含み、そして、取り付けポスト少なくとも１つが、複数の取り付けポストを含む、請求項２０又は２１に記載のオーナメント固定具。
【請求項２３】
取り付けポスト少なくとも１つが、オーナメントを取り付けるために、第１ポジションから第２ポジションまでの偏向へ適合している取り付けポストを含む、請求項２０〜２２のいずれか一項に記載のオーナメント固定具。
【請求項２４】
開口部の内部表面と取り付け用手段とを相互に作用させ、オーナメントを予め定めた配向に向かわせる、請求項１９〜２３のいずれか一項に記載の前記オーナメント固定具。
【請求項２５】
開口部少なくとも１つが表面を規定し、そして、第１ポジションが表面に対して実質的に平行であり、第２ポジションは前記表面に対して実質的に非平行である、請求項１９〜２４のいずれか一項に記載のオーナメント固定具。
【請求項２６】
オーナメント固定具が、照明固定具を含む、請求項１９〜２５のいずれか一項に記載のオーナメント固定具。
【請求項２７】
照明固定具が、シャンデリア、ランプ、スポットライト、壁付燭台、凹型ライト、及び、トラックライトのうちの１つを含む、請求項２６に記載の前記オーナメント固定具。
【請求項２８】
オーナメントの重心を通過していない取り付け孔と軸とを有する装飾オーナメントを取り付けるアレンジメントであって、前記アレンジメントが、
表面及び開口部を有するフレームと；
オーナメントの取り付け孔へ挿入するのに適合されており、前記フレームから突出している取り付けポスト少なくとも１つと；
を含んでおり、
前記オーナメントを取り付けポストへ取り付ける場合に、オーナメントの軸が、垂直方向に対して０度より大きい角度をつくる、前記アレンジメント。
【請求項２９】
取り付けポストが、ピン又はワイヤーのうちの１つを含む、請求項２８に記載のアレンジメント。
【請求項３０】
オーナメントの軸が、垂直方向に対して５度より大きい角度をつくる、請求項２８又は２９に記載のアレンジメント。
【請求項３１】
垂直方向に対して角度Φをなす線をフレームの表面が規定し、オーナメントの軸が垂直方向に対して角度Θをなし、そして、角度Θは角度Φとほとんど等しい、請求項２８〜３０のいずれか一項に記載のアレンジメント。
【請求項３２】
垂直方向に対して角度Φをなす線をフレームの表面が規定し、オーナメントの軸が垂直方向に対して角度Θをなし、そして、角度Θは角度Φと等しくない、請求項２８〜３０のいずれか一項に記載のアレンジメント。
【請求項３３】
内部表面をもつ開口部複数個を有するフレームへ、複数の穿孔された装飾オーナメントを取り付ける方法であって：
フレームの第１サイド上で開口部複数個の中へ、オーナメント複数個を配置し、ここで、オーナメント穿孔部は、第一サイドと対向するフレームの第２サイドから接近可能であるものとし、
ワイヤー少なくとも１つを、フレームの第２サイド上のオーナメント穿孔部複数個へ通過させ、そして、
ワイヤー少なくとも１つと開口部の内部表面とによって、開口部中の複数のオーナメントを保持する、
ことを含む前記方法。
【請求項３４】
ワイヤー少なくとも１つが、第１末端部及び第２末端部を含み、前記方法が、ワイヤー少なくとも１つをオーナメント穿孔部複数個へ通過させた後で、第１末端部と第２末端部とを結合させることを更に含む、請求項３３に記載の方法。
【請求項３５】
結合が、一緒にねじること及び融合させることの一方を含む、請求項３４に記載の方法。
【請求項３６】
結合された末端部をフレームへ結合させることを更に含む、請求項３４又は３５に記載の方法。
【請求項３７】
隣接したオーナメントと接触させることによって、開口部中のオーナメントを更に保持することを含む、請求項３３〜３６のいずれか一項に記載の方法。
【請求項３８】
ワイヤー少なくとも１つを通過させることが、ワイヤー１つを通過させることを含む、請求項３３〜３７のいずれか一項に記載の方法。
【請求項３９】
穿孔されたオーナメントを取り付ける固定具であって、前記固定具が、
内部表面をもつ開口部複数個を有するフレームと；
穿孔されたオーナメントの穿孔部少なくとも１つへ挿入するように適合されているワイヤー少なくとも１つと；
を含んでおり、
オーナメントを開口部中に配置し、そして、ワイヤー少なくとも１つを穿孔部へ挿入する場合に、ワイヤー少なくとも１つと開口部の内部表面とによって、オーナメントが保持される、前記固定具。
【請求項４０】
ワイヤー少なくとも１つが、複数のワイヤーを含む、請求項３９に記載の固定具。
【請求項４１】
ワイヤー少なくとも１つが、金属及び非金属フィラメントのうちの１つを含む、請求項３９又は４０に記載の固定具。
【請求項４２】
固定具が照明固定具を含む、請求項３９〜４１のいずれか一項に記載の固定具。
【請求項４３】
前記照明固定具が、シャンデリア、ランプ、壁付燭台、凹型ライト、スポットライト、及びトラックライトのうちの１つを含む、請求項４２に記載の固定具。
【請求項４４】
前記オーナメントが、隣接したオーナメントによって更に保持される、請求項３９〜４３のいずれか一項に記載の固定具。
【請求項４５】
フレームが、実質的に平坦なフレーム、実質的に円筒形のフレーム、湾曲したフレーム、球状フレーム、ピラミッド形状のフレーム、及び多面体フレームのうちの１つを含む、請求項３９〜４４のいずれか一項に記載の固定具。
【請求項４６】
前記ワイヤー少なくとも１つが、フレームへ取り付けられる、請求項３９〜４５のいずれか一項に記載の固定具。
【請求項４７】
開口部複数個を有するフレームと；
開口部複数個中に取り付けられている複数のオーナメントと；
オーナメント複数個をフレームへ取り付けるための手段と；
オーナメント複数個のうちの少なくとも数個を照射するように適合される照明と、を含み、装飾オーナメントを有する前記照明固定具。
【請求項４８】
複数のオーナメントが、穿孔部少なくとも１つを有する複数のオーナメントを含む、請求項４７に記載の照明固定具。
【請求項４９】
オーナメント複数個を取り付ける前記手段が、穿孔部少なくとも１つを介して、オーナメント複数個を取り付ける手段を含む、請求項４７又は４８に記載の照明固定具。
【請求項５０】
オーナメント複数個をフレームへ取り付ける前記手段が、ワイヤー及びピンのうちの１つを含む、請求項４７〜４９のいずれか一項に記載の照明固定具。
【請求項５１】
前記ワイヤー及びピンのうちの１つが、フレームへ取り付けられる、請求項４７〜４９のいずれか一項に記載の照明固定具。
【請求項５２】
オーナメント複数個を取り付ける前記手段が、オーナメント複数個へ嵌め込むように適合されるワイヤー少なくとも１つを含む、請求項４７〜４９のいずれか一項に記載の照明固定具。
【請求項５３】
前記フレームが、実質的に平坦なフレーム、実質的に円筒形のフレーム、湾曲したフレーム、球状フレーム、ピラミッド形状フレーム、及び多面体フレームを含む、請求項４７〜５２のいずれか一項に記載の照明固定具。
【請求項５４】
前記フレームが、チェーン少なくとも１つによって懸架されているフレームを含む、請求項４７〜５３のいずれか一項に記載の照明固定具。
【請求項５５】
前記照明固定具が、シャンデリア、ランプ、スポットライト、壁付燭台、凹型ライト、及びトラックライトのうちの１つを含む、請求項４７〜５４のいずれか一項に記載の照明固定具。
【請求項５６】
前記照明固定具が、照準可能な照明固定具を含む、請求項４７〜５５のいずれか一項に記載の照明固定具。
【請求項５７】
内部表面をもつ開口部複数個を有するフレームへ、穿孔された装飾オーナメント複数個を取り付ける方法であって：
複数のワイヤーをフレームへ取り付け、ここで、個々のワイヤーは複数の開口部少なくとも１つにわたって突出しており；
穿孔された装飾オーナメント少なくとも１つを、穿孔部によって、複数のワイヤー少なくとも１つへ取り付け；そして
ワイヤー少なくとも１つと開口部の内部表面少なくとも１つとによって、穿孔された装飾オーナメント少なくとも１つを、開口部少なくとも１つの中で保持する、
ことを含む前記方法。
【請求項５８】
穿孔された装飾オーナメント少なくとも１つの取り付けが：
複数のワイヤーの少なくとも１つを第１ポジションから第２ポジションへ偏向させ；
穿孔された装飾オーナメント少なくとも１つを第２ポジションにおけるワイヤー少なくとも１つへ取り付け；そして
オーナメントを有するワイヤー少なくとも１つを第１ポジションへ偏向させる、
ことを含む、請求項５７に記載の方法。
【請求項５９】
複数の開口部が表面を規定し、そして、第１ポジションにおいて、複数のワイヤーが前記表面に対して実質的に平行であり、第２ポジションにおいて、複数のワイヤーが前記表面に対して実質的に非平行である、請求項５７又は５８に記載の方法。
【請求項６０】
複数のワイヤーのうち少なくとも１つを第１ポジションから第２ポジションへの偏向させることが、複数のワイヤーのうちの少なくとも１つが前記表面に対して少なくとも５度の角度をなすように、複数のワイヤーのうちの少なくとも１つを偏向させることを含む、請求項５９に記載の方法。
【請求項６１】
複数をワイヤーの取り付けが、複数のワイヤーを溶接すること、及び接着することのうちの１つを含む、請求項５７〜６０のいずれか一項に記載の方法。
【請求項６２】
前記ワイヤーが金属製及び非金属製フィラメントのうちの１つを含む、請求項５７〜６１のいずれか一項に記載の方法。
【請求項６３】
複数のワイヤーの取り付けが、複数のワイヤーのうちの少なくとも１つの第１末端部を取り付けることを含み、そして、複数のワイヤーのうちの少なくとも１つへ穿孔された装飾オーナメント少なくとも１つを取り付けた後で、複数のフレームの第２末端部少なくとも１つをフレームへ取り付けることを更に含む、請求項５７〜６２のいずれか一項に記載の方法。
【発明の詳細な説明】
【発明の詳細な説明】
【０００１】
《関連出願に対する相互参照》
本出願は、２００４年１月１４日に出願した米国出願出願番号１０／７５７，６２８（代理人整理番号２３５０．４２３）の一部継続中出願であり、その開示は参照することによりここに含まれる。
【発明の分野】
【０００２】
本発明は、一般的には、例えば、クリスタル及びビーズの装飾オーナメント（decorative ornament；装飾的装飾品）を取り付けるアレンジメント並びに方法に関するものであって、より具体的には、例えば、シャンデリアの照明固定具へ装飾アレンジメントを取り付けるアレンジメント並びに方法に関する。
【発明の背景】
【０００３】
シャンデリア、ランプ、及びその他の種々の装飾品のデザインは、装飾オーナメント又はクリスタル部品（例えば、八角形又は円形ビーズ、ペンダント、及びその他のオーナメント）を、支持しているメタルフレームへ結合する必要性をしばしば伴う。先行技術の実務によると、前記オーナメントのフレームへの結合は、通常、複雑なワイヤー、フック、又はその他の締付け手段を必要とし、そして、特別な道具を必要とすることがある。更に、先行技術の取り付けアレンジメント及び方法は、通常、複数の加工及び組立工程、複数の部品及び／又は材料を必要とし、そして、労働集約的（labor intensive）であり、実施にはコストがかかる。更に、多くの先行技術のワイヤー取り付け方法において、例えば、従来のフックは、重力によって前記オーナメントを配向させることができるが、一般的に、いくつかの部品（例えば、宝石、ペンダログ、又は、ペアシャイプペンダント）の所望される配置又は配向を行うことができない。重力以外によって前記部品の配向を可能にするシステムは、一般的に、複雑で高価なブラケット、フック、又はその他の結合手段を必要とする。本発明の観点は、オーナメントを装飾固定具中へ取り付ける場合の、先行技術及びその他の先行技術の前記不利点を克服するものである。
【本発明の要約】
【０００４】
本発明の観点によると、加工及び組立ての簡単なオーナメント取り付けアレンジメント及び取り付け方法が提供される。本発明の観点は、容器（例えば、受け取りスロット、又は、ポケット）を提供する構造（geometry）を有する開口部と、フレームと、並びにオーナメントを受け取り、そして、保持する（特に、オーナメントを予め定めた位置で保持する）ように適合される取り付けポスト又はワイヤーとを有する取り付けアレンジメント及び固定具を含む。本発明の観点は、例えば、打抜き加工（stamping）の単純な作業で加工し、ポケット及び取り付けピンを製造することができる、オーナメント取り付けフレーム又は固定具も提供する。先行技術のアレンジメント及び方法とは逆に、本発明の或る観点において、オーナメントを取り付けフレームへ結合するための追加部品を、ほとんど、又は、まったく必要としない。更に、本発明の観点は、例えば、重力による影響をほとんど、又は、まったく受けずに、そして、ブラケット、フック、又はその他の結合手段を必要とせずに、オーナメントの位置を制御することができるというオーナメントの取り付けを提供する。本発明の観点は、例えば、照明固定具に対するオーナメントの位置及び外観に影響を及ぼすことなくその位置を変化させることのできる指方性照明（directional lightning）固定具の照明固定具へ、装飾オーナメントを提供する装置及び方法も提供する。本発明の観点は、広範囲のフレーム及びオーナメントへ適合させることができ、そして、多くの種類の異なるオーナメントを適応させることができる。先行技術方法と逆に、本発明の観点において、フレームへのオーナメントの組立ては、単純で労働効率的であり、例えば、部品数を最小化することができ、そして、特別な道具を必要としない。
【０００５】
先行技術とは反対に、本発明の観点は、例えば、オーナメントの視覚的な外観（明細書中には明示せず）を高めて、オーナメント（例えば、八角形状クリスタル）を所望の位置へ配置、そして、配向させる可能性を固定具設計者へ提供する。例えば、先行技術によると、例えば、八角形状クリスタルのオーナメントは、通常、フック又はぶら下がっているオーナメントチェーンによって取り付けられる。前記の先行技術手段の配置又は配向は、本質的に重力の作用を受ける。つまり、重力の作用は、オーナメントの所望の配向に匹敵し、例えば、所望の視覚的効果に作用し、そして、設計者は、一定の容認されたオーナメント配置及び配向を制限される。しかしながら、本発明の観点によると、重力によって課せられる制限をうけることなく、予め定めた位置へオーナメントを配置して、配向させる方法並びに装置を提供することによって、重力の制限効果を克服することができる。本発明の観点によると、例えば、穿孔された（perforated）オーナメントのオーナメントを取り付けて、個々のオーナメントの視覚的アピール又はオーナメントのアレンジメントの視覚的アピールを高めることができる。本発明の或る観点によると、このことは取り付け特徴（ピン、ポスト、又は、ワイヤー、及びオーナメントが取り付けられる開口部の内部表面であることがある）が相互に作用することによって達成される。或る観点において、開口部の内部表面と、ポスト、ピン、又はワイヤーとを相互に作用させて、オーナメントを予め定めた配向へ配向させる。本明細書の以下の記載の及び添付図面の本発明の観点の検討からより明白となるであろうが、前記相互作用、つまり、ベアリング、又はオーナメントと取り付け装置との間の接触によって、オーナメント固定具設計者は、従来には利用することのできなかった態様でクリスタルオーナメントを配置及び配向させることが可能となる。
【０００６】
本発明の或る観点は、内部表面をもつ開口部を有するフレームと；
オーナメント中の穿孔部へ挿入するように適合されており、フレームから突出している取り付けポスト少なくとも１つと；
を含む装飾オーナメントの取り付け用の前記アレンジメントアレンジメントであって、前記オーナメントを前記フレームへ取り付ける場合に、取り付けポストと開口部の内部表面とによって前記オーナメントが保持される前記アレンジメントである。本発明の或る観点において、取り付けポストは曲げやすく、そして、オーナメントの取り付けけるための第１ポジションから第２ポジションへの偏向へ適合される。
【０００７】
本発明のその他の観点は、内部表面をもつ開口部を有するフレームと；
オーナメント中の穿孔部へ嵌め込むように適合されており、オーナメントをフレームへ取り付けるための手段と；
を含む装飾オーナメントの取り付け用のアレンジメントであって、前記オーナメントを前記フレームへ取り付ける場合に、取り付け手段と開口部の内部表面とによって前記オーナメントが保持される、前記アレンジメントである。オーナメント取り付け用の手段としては、フレームから突出している少なくとも１つの取り付けポスト（例えば、フレームと一体化させて取り付けられるピン又はワイヤー）が含まれる。
【０００８】
本発明のその他の観点は、開口部と軟質の（flexible）取り付けポストとを有するフレームへ装飾オーナメントを取り付ける方法であって、
第１ポジションから第２ポジションへ取り付けポストを偏向させ；
第２ポジションにおいてオーナメントを取り付けポスト上へ取り付け；
オーナメントを有する取り付けポストを第１ポジションへ偏向させ；そして
取り付けポストと開口部の内部表面とによって、オーナメントを開口部中で保持する、ことを含む前記方法である。本発明の或る観点において、開口部が表面を規定し、そして、第１ポジションにおいて、取り付けポストが前記表面に対して実質的に平行であり、第２ポジションにおいて、取り付けポストが前記表面に対して実質的に非平行である。
【０００９】
本発明の更なる観点は、内部表面をもつ開口部少なくとも１つを有するフレームと；オーナメント中の穿孔部へ挿入するように適合され、フレームから突出している取り付けポスト少なくとも１つと；を含むオーナメント固定具であって、
オーナメントを取り付けポスト少なくとも１つへ取り付ける場合に、取り付けポスト少なくとも１つと、開口部少なくとも１つの内部表面とによって、前記オーナメントを保持する前記オーナメント固定具である。本発明の或る観点において、オーナメント固定具は、例えば、ランプ又はシャンデリアのオーナメント照明固定具である。
【００１０】
本発明のその他の観点は、内部表面をもつ開口部少なくとも１つを有するフレームと；オーナメント中の穿孔部へ嵌め込むように適合され、オーナメントをフレームへ取り付けるための手段と；を含むオーナメント固定具であって、
オーナメントをフレームへ取り付ける場合に、前記オーナメントを前記フレームへ取り付ける手段と、開口部少なくとも１つの内部表面とによって、オーナメントを保持する前記オーナメント固定具である。或る観点において、オーナメントを取り付ける手段は、フレームから突出している取り付けポスト少なくとも１つ（例えば、ピン又はワイヤー少なくとも１）であることができる。
【００１１】
本発明の更なる観点は、内部表面をもつ開口部を有するフレームと；オーナメントの取り付け孔へ挿入するように適合される、フレームから突出している取り付けポスト少なくとも１つと；を含む、オーナメントの重心を通過していない取り付け孔と軸とを有する装飾オーナメントを取り付けるアレンジメントであって、
オーナメントを取り付けポストへ取り付ける場合に、前記オーナメントの軸が、垂直方向に対して０度より大きい角度をつくる、前記アレンジメントである。
【００１２】
本発明の更なる観点は、内部表面をもつ開口部複数個を有するフレームと；オーナメント複数個の穿孔部へ挿入するように適合されるワイヤー少なくとも１つと；を含む、装飾オーナメント（各々のオーナメントは穿孔部少なくとも１つを有する）を取り付けるアレンジメントであって、オーナメントをワイヤーへ取り付ける場合に、ワイヤー少なくとも１つと開口部の内部表面少なくとも１つとによって、オーナメントを保持する前記アレンジメントである。
【００１３】
本発明のその他の観点は、フレームの第１サイド上での開口部複数個の中へオーナメント複数個を配置し、第一サイドと対向しているフレームの第２サイドからオーナメント穿孔部は接近可能であるものとし、；ワイヤー少なくとも１つをフレームの第２サイド上のオーナメント穿孔部複数個へ通過させ；そして、ワイヤー少なくとも１つと開口部の内部表面とによって開口部中の複数のオーナメントを保持することを含む、内部表面をもつ開口部複数個を有するフレームへ、穿孔された装飾オーナメント複数個を取り付ける方法である。
【００１４】
本発明の更なる観点は、内部表面をもつ開口部複数個を有するフレームと；穿孔されたオーナメントの穿孔部へ挿入するように適合されるワイヤー少なくとも１つと；を含む、穿孔されたオーナメントを取り付ける固定具であって、オーナメントを開口部中に配置し、そして、ワイヤー少なくとも１つを穿孔部へ挿入する場合に、ワイヤー少なくとも１つと、開口部の内部表面とによって、オーナメントを保持する前記固定具である。
【００１５】
本発明の更なる観点は、開口部複数個を有するフレームと；開口部複数個中に搭載されるオーナメント複数個と；オーナメント複数個をフレームへ取り付ける手段と；オーナメント複数個のうちの少なくともいくつかを照射するように適合される照明と；を含む、装飾オーナメントを有する照明固定具である。或る観点において、フレームは円筒状フレームであることができる。その他の観点において、フレームは、照明固定具から（例えば、チェーン又はポストによって）懸架される平坦なフレームであることができる。
【００１６】
本発明の更なる観点は、フレームへワイヤー複数個（各々のワイヤーは、開口部複数個のうち少なくとも１つにわたって突出する）を取り付け；穿孔部によって、穿孔された装飾オーナメント少なくとも１つをワイヤー少なくとも１つへ取り付け；そして、ワイヤー少なくとも１つと、開口部の内部表面少なくとも１つとによって、穿孔された装飾オーナメント少なくとも１つを開口部少なくとも１つにおいて保持することを含む方法であって、内部表面をもつ開口部複数個を有するフレームへ穿孔された装飾オーナメント複数個を取り付ける前記方法である。
【００１７】
従って、本発明の観点は、オーナメント固定具（例えば、オーナメント照明固定具）へオーナメントを取り付ける方法及び改良されたアレンジメントを提供する。
【図面の簡単な説明】
【００１８】
本発明としてみなされている対象事項は、本明細書の末部の特許請求の範囲において特に指摘され、そして、明確に請求されている。本発明の前記事項及びその他の目的、特徴、並びに利点は、添付図面と併せて、以下の本発明の観点の詳細な記述によって、容易に理解することができる：
【００１９】
【図１】本発明の或る観点による、オーナメント保持アレンジメントを有するオーナメント保持フレームの平面図である。
【００２０】
【図２】本発明の或る観点による、図１のフレームパネル中に取り付けられる複数のオーナメントの平面図である。
【００２１】
【図３】図１及び図２のオーナメント保持アレンジメントの詳細図である。
【００２２】
【図４】偏向される取り付けポストを有する、図３のオーナメント保持アレンジメントを線４に沿って見た場合の側面図である。
【００２３】
【図５】代表的なオーナメント（波線で示されている）の取り付けを示す、図３と同様の詳細図である。
【００２４】
【図６】図５の取り付けアレンジメントの詳細図である。
【００２５】
【図７Ａ】本発明の或る観点による、オーナメント固定具の底面図である。
【図７Ｂ】本発明の或る観点による、オーナメント固定具の側面図である。
【００２６】
【図８】本発明の或る観点による、その他のオーナメント固定具の斜視図である。
【００２７】
【図９】本発明のその他の観点による、取り付けアレンジメントの平面図である。
【００２８】
【図１０】本発明の更にその他の観点による、取り付けアレンジメントの平面図である。
【００２９】
【図１１】オーナメントの配向された取り付けを提供する、本発明のその他の観点を示す図である。
【００３０】
【図１２】本発明のその他の観点を示す図である。
【００３１】
【図１３】本発明のその他の観点を示す正面図である。
【００３２】
【図１４】図１３の本発明の観点の背面図である。
【００３３】
【図１５】図１３における線１５から見た場合の、図１４及び図１５の本発明の観点の断面図である。
【００３４】
【図１６】本発明のその他の観点の背面図である。
【００３５】
【図１７】図８の観点と同様の、本発明の更なる観点の斜視図である。
【００３６】
【図１８】図１７の本発明の観点の正面立面図である。
【００３７】
【図１９】図１７の本発明の観点の頂面図である。
【００３８】
【図２０】本発明のその他の観点の正面立面図である。
【００３９】
【図２１】本発明のその他の観点の正面立面図である。
【００４０】
【図２２】本発明の更にその他の観点の斜視図である。
【図２３】本発明の更にその他の観点の斜視図である。
【図２４】本発明の更にその他の観点の斜視図である。
【図２５】本発明の更にその他の観点の斜視図である。
【図２６】本発明の更にその他の観点の斜視図である。
【図２７】本発明の更にその他の観点の斜視図である。
【００４１】
【図２８】本発明のその他の観点の正面立面図である。
【図２９】本発明のその他の観点の側面立面図である。
【図３０】本発明のその他の観点の背面立面図である。
【図面の詳細な説明】
【００４２】
本発明の観点の詳細及び範囲は、添付図面及びそれらの以下の記載を検討することにより理解することができる。図１は、本発明の或る観点によるオーナメント保持固定具１０の平面図であり、前記オーナメント保持固定具１０は、フレーム１１とオーナメント保持アレンジメント１２とを含む。本発明の観点において、フレーム１１は、個々の三角形の穿孔されたフレームパネル１４を複数個含む。本発明の前記観点によると。フレーム１１は、事前に加工された状態、つまり、フレームパネル１４（例えば、図７Ａ及び７Ｂ中に示される三角形のオーナメント固定具）を多角形に加工する前の状態で示されている。本発明によると、フレーム１１は、開口部１６を有する複数のオーナメント保持アレンジメント１２を含み、前記開口部１６の各々は、オーナメントの取り付けるための１つ以上の取り付けピン又はポスト１８をもつ。フレーム１１は、固定具１０を懸架するための手段１９、例えば、固定具を懸架するためのアイレット、フック又はその他の通常の構造物も含まれる。
【００４３】
図２は、本発明の或る観点による、取り付けピン１８へ取り付けられる複数のオーナメント２０，２２を有する１つのフレームパネル１４の平面図である。例証を明らかにするために、代表的な１組のオーナメント２０，２２のみが図２中に示されている。本発明の前記観点によると、オーナメント２０，２２は、穿孔されたオーナメント、つまり、貫通孔を有するオーナメントを含まれる。オーナメント２０，２２は、穿孔されたビーズ又はクリスタル（例えば、多面的な８角形のビーズ又は多面的な球状のビーズ）であることができる。本発明の或る観点によると、オーナメント２０，２２、及び本明細書に記載の全てのオーナメントは、装飾固定具において使用される、穿孔されたビーズ、石、クリスタルなどの任意のタイプを含まれる。例えば、本発明の或る観点によると、オーナメント２０，２２としては、例えば、球状、立方体形状、円錐、棒状、管状、ロッド状、角柱状などの、面体（faceted）又は非面体（non-faceted：つまり、平坦な）の形状の任意タイプも含まれることができる。オーナメント２０，２２は、ガラス、プラスチック、金属、石、又はその他の任意の従来からの材料（通常、それらからオーナメントビーズが製造される）から製造されることができる。オーナメント２０，２２としては、穿孔された宝石、例えば、ダイアモンド、ルビー、サファイア、オパールなどが含まれることもできる。オーナメント２０，２２は、透明、半透明、又は不透明な材料、例えば、着色されたガラスから製造されることもできる。本発明の或る観点において、オーナメント２０，２２としては、イルミネーションを施したオーナメント、例えば、ライト又は発光ダイオード（ＬＥＤｓ）が含まれることもできる。
【００４４】
本発明の或る観点によると、フレーム１１は、任意の通常の材料、例えば、任意の従来の金属あるいは非金属のプレート又はシートから製造することができる。本発明の或る観点において、フレーム１１は、例えば、鉄、鋼、ステンレス鋼、アルミニウム、チタン、ニッケル、マグネシウム、銅、銀、金、又はオーナメント固定具に通常使用されるその他の金属の金属プレート又はシートから製造されることができる。本発明の或る観点において、フレーム１０は、例えば、ポリエチレン（ＰＥ）、ポリプロピレン（ＰＰ）、ポリエステル（ＰＥ）、ポリテトラフルオロエチレン（ＰＴＦＥ）、又は、アクリロニトリルブタジエンスチレン（ＡＢＳ）、及び、その他のプラスチックのプラスチックから製造されることができる。本発明の或る観点において、フレーム１１は、材料、つまり、透明、半透明、又は不透明な材料から製造されることができる。本発明の或る観点において、フレーム１１は、例えば、弾性又は可塑性の変形又は偏向に耐えることが可能な軟質の材料（flexible material）を含む。本発明の或る観点において、フレーム１１は、約０．０１０インチ〜約０．５インチの間、例えば、約０．０２０インチ〜約０．２５インチの間、通常、約０．０２０インチ〜約０．０５０インチの間の厚さを有するプレート又はシートから加工されることができる。本発明の観点によると、フレーム１１（及び本明細書に記載のその他のフレーム）は、多数の三次元形状（例えば、ピラミッド形状及び多面体形状）から形成されることのできる、本質的に平坦な図２のプレート又はフレームを含まれる。しかしながら、本発明のその他の観点において、フレーム１１（及び本明細書に記載のその他のフレーム）は、非平坦又は非平面であることができ、例えば、フレーム１１は湾曲して、円筒フレームを提供するか、あるいは、例えば球状（例えば、ファセット球状）、ピラミッド形状、様々な多面体形状、及びその他の通常の三次元形状の種々の三次元の形状であることができる。
【００４５】
図３は、図１及び２の取り付けアレンジメント１２の詳細な平面図を示す。本発明の前記観点によると、アレンジメント１２は、フレーム１１中の三角形の開口部１６と、フレーム１１に固定され、そして、開口部１６へ突出している取り付けポスト又はピン１８少なくとも１つとを含む。図３に記載の本発明の観点によると、開口部１６は、三角形の形状である；しかしながら、本発明の或る観点によると、開口部１６としては、フレーム１１中に、任意の形状（例えば、円形、楕円形、三角形、正方形、長方形、又は、任意の多角形の開口部、及びその他）の孔、スロット、又はカットアウトが含まれる。本発明の或る観点において、開口部１６は、閉塞的な（closed）形状、つまり、連続的で途切れていない内部表面１７を有する形状を含む。本発明のその他の観点において、開口部１６は、開放的な（open）形状、つまり、非連続的であるか、又は、中断されている内部表面１７を有する形状であることができる。
【００４６】
取り付けポスト１８の断面は、適当な任意の形状をとることができる。取り付けポスト１８は、円形、楕円形、三角形、四角形、又は多角形の形状であることができる。本発明の或る観点において、取り付けポスト１８は、形状において多角形（例えば、長方形）であることができるが、加工方法によって生じる丸みのある角（例えば、通常、パンチされた、又はダイプレスされた形状と接触する丸みのある角）を有する。取り付けポスト１８は、フレーム１１の厚さよりも大きいか、又は小さい厚さ（例えば、直径）を有することができるが、本発明の或る観点において、例えば、フレーム１１と同じプレート又はシート材料から取り付けポスト１８を加工するので、取り付けポスト１８の厚さは、フレーム１１の厚さとほとんど等しい。
【００４７】
図３に示されるように、本発明の或る観点において、開口部１６へ突出する取り付けポスト１８を、フレーム１１へ取り付けることができる。本発明の或る観点において、取り付けポスト１８が開口部１６の内部表面１７に対して実質的に垂直であるように、フレーム１１へ取り付けポスト１８を取り付けることができる。本発明の或る観点において、取り付けポスト１８が開口部１６の内部表面１７に対して実質的に非垂直であるように、フレーム１１へ取り付けポスト１８を取り付けることができる。取り付けポスト１８とフレーム１１とが同一の材料から加工される（例えば、同一の材料、つまり、同一のシート又はプレートから、カット、ダイカット、又はパンチされる）場合に、取り付けポスト１８の上側表面が、フレーム１１の上側表面と実質的に同一表面上にあるように、取り付けポスト１８を開口部１６の内部表面１７と一体化させて取り付けることができる。本発明の或る観点において、開口部１６と取り付け１８との少なくとも１つを、レーザー切断、ウォータージェット切断、放電機械加工（ＥＤＭ；electro-discharge machining）、例えば、ワイヤーＥＤＭ、及びその他の通常の加工方法、によって、加工することができる。本発明の或る観点において、開口部１６及びポスト１８のうちの１つの切断を、コンピューター制御によって実施することができる。本発明の或る観点において、リソグラフィック方法（例えば、フォトリソグラフィック方法）によって、開口部１６と取り付けポスト１８との少なくとも１つを加工することができる。
【００４８】
本発明のその他の観点において、例えば、開口部１６が、ドリリング、パンチング、又は、前記の任意の切断方法によって製造される場合、取り付けポスト１８が開口部１６の上又は下へ突出するように、取り付けポスト１６をフレーム１１の上側表面上か、あるいは、フレーム１１の下側表面上へ取り付けることができる。本発明の或る観点において、取り付けポスト１８をフレーム１１の上側表面上へ取り付けるか、又は、フレーム１１の下側表面の下へ取り付けることができ、そして、例えば、フレーム１１の上側又は下側表面のどちらに対しても非平行であるような傾斜角（oblique angle）で、取り付けポスト１８を開口部へ突出させることができる。本発明の或る観点において、例えば、溶接（例えば、抵抗溶接）、ろう付け（brazing）、結合剤の使用、又は、機械的留め具の任意の通常手段によって、取り付けポスト１８をフレーム１１へ取り付けることができる。
【００４９】
図４は、図３のオーナメント保持アレンジメント１２を、線４に沿って見た側面図である。図４は、本発明の或る観点を示しており、ここで、例えば、穿孔されたオーナメント２６（破線で示す）を取り付けポスト１８へ上取り付けるために、例えば、２重線で示されている第２ポジションへ取り付けポスト１８を偏向させることができる。例えば、本発明の或る観点において、フレーム１１の平面に対して実質的に平行な第１ポジションから、フレーム１１の平面に対して実質的に非平行な第２ポジションまで、取り付けポスト１８を、２重線２４に示されるように、手動又は自動のどちらかで偏向させることができる。例えば、本発明の或る観点において、水平方向（the horizontal）から５度の角度α（例えば、水平方向から、少なくとも１５度又は少なくとも３０度）で、取り付けポスト１８を偏向させることができ、それによって、オーナメント２６を取り付けポスト１８へ取り付けることができる。本発明の或る観点において、開口部１６は平面を規定し、そして、開口部１６によって規定される平面に対して（例えば、開口部１６の上側末端、下側末端、又は中央平面によって規定される平面に対して）、角度αが測定される。更に、開口部１６によって規定される平面から少なくとも５度（例えば、少なくとも１５度又は３０度）の角度αで、取り付けポスト１８を変更させることができる。
【００５０】
オーナメントの穿孔部（又は貫通孔）を取り付けポスト１８にわたって単純にスライドさせることによって、取り付けポスト１８上のオーナメント２６の取り付けを実施することができる。本発明によると、取り付けポスト１８の偏向と、取り付けポスト１８上への１つ以上のオーナメント２６の取り付けとを、手動で実行するか、又は、例えば、ロボット作動装置の自動化された手段によって実行することができる。本発明の或る観点において、結合剤によって、オーナメント２６をポスト１８へ取り付けることができる。本発明のその他の観点において、ポスト１８上にオーナメント２６を取り付ける前、あるいは、その後に、ポスト１８を偏向（例えば、機械的に曲げるか、又は、屈折させる）させ、ポスト１８上でのオーナメント２６の保持を補助する障害物を提供する。本発明の或る観点において、オーナメント２６のサイズとは関係なく偏向角度αを決定することができ、そして、角度αは、例えば、フレーム１１の妨害を受けずに、取り付けポスト１８上でのオーナメント２６の取り付けを可能にするのに十分な角度でなければならない。
【００５１】
本発明によると、取り付けポスト１８の偏向は、偏向された第２ポジションから本質的に偏向されていない第１ポジションへ取り付けポスト１８が外力適用されずに戻る、弾性偏向を含む。取り付けポスト１８の偏向は、取り付けポスト１８が偏向された第２ポジションを維持し、そして、変更されていない第１ポジションへ強制的に戻らなければならない可塑性偏向（plastic deflection）も含まれる。
【００５２】
図５は、図３と同様のその他の詳細図であり、オーナメント２６の取り付けの後に、取り付けポスト１８が偏向されていない第１ポジションへ戻った後の開口部１６中の代表的なオーナメント２６（破線で示す）の取り付けを示す。図５に示されるように、１つ以上のオーナメントであることができるオーナメント２６は、取り付けポスト１８と開口部１６の内部表面１７とによって、開口部１６中に保持されている。具体的には、穿孔されたオーナメント２６を取り付けポスト１８上へ取り付けることによって、オーナメント２６が図５の平面に対して垂直に移動することを防ぎ、開口部１６の底面によって、オーナメント２６が図５の平面の下方へ移動することを防ぎ、そして、開口部１６の角をなす内部表面１７の２つによって、オーナメント２６が取り付けポスト１８の末端部から滑り落ちることを防ぐ。結果として、本発明の前記観点は、例えば、追加の取り付けハードウエア又は特別なツールを必要とせずに、簡単な組み立て及び簡単な作業によって特徴付けられるオーナメント固定具（例えば、シャンデリア）のフレーム中にオーナメント１つ以上を取り付け、そして、保持するための効果的なアレンジメント及び方法を提供する。
【００５３】
図６は、図３〜５に関して記載されるように組み立てられている、図１に示されるフレーム１１と、図２に示される取り付けアレンジメント１２との詳細図である。図６に示される本発明の観点において、オーナメント２０，２２をもつ取り付けアレンジメント１２（４つ）示すフレーム１１のフレームパネル１４の代表的なセクションが示される。各々の取り付けアレンジメント１２は、三角形開口部１６、取り付けポスト１８、及び、各々の取り付けポスト１８上に取り付けられている２つのオーナメント２０，２２を含む。本発明の前記観点において、オーナメント２０は、多面的な球状クリスタルビーズを含み、そして、オーナメント２２は、多面的な８角形状クリスタル宝石を含む。球状ビーズ２０は、ビーズ２０の軸に沿って実質的に導かれた貫通孔を含む。８角形状クリスタル宝石２２は、宝石２２の軸に沿って導かれている、宝石の軸から外れているけれども宝石２２の軸に対して実質的に平行な貫通孔を含む。取り付けアレンジメント１２を、それ自体のみで使用するか、あるいは、例えば、オーナメント照明固定具（例えば、シャンデリア、ランプ、又は壁付燭台）のオーナメント固定具における同様の、又は、異なったアレンジメントとともに使用することもできる。
【００５４】
図７Ａ及び図７Ｂは、図１〜６に関して記載されている、フレーム１１と、パネル１４と、ビーズ２０及び宝石２２を有する取り付けアレンジメント１２とを含む、組み立てられたオーナメント固定具３０の底面図と側面図とをそれぞれ示す。本発明の前記観点によると、図１に示される４つのフレームパネル１４は、図３〜５に記載の取り付けアレンジメント１２中に取り付けられている、ビーズ２０及び宝石２２を有する。図１の未だ組み立てられていない平らなフレーム１１を、次に、折りたたむか、又は、パネル１４の線に分割線に沿って曲げるかして、図７Ａ及び図７Ｂに示されるピラミッド構造を得ることができる。本発明の観点によって特徴付けられるように、図７Ａ及び図７Ｂにおいて、追加の取り付けハードウエア又は結合剤を必要とせずに、ビーズ２０及び宝石２２を取り付け、そして、取り付けアレンジメント１２によって保持する。ビーズ２０及び宝石２２を、取り付けピン１８と開口部１６の内部表面とによって単純に保持することができる。オーナメント固定具３０は、それ自体のみで使用するか、あるいは、例えば、オーナメント照明固定具（例えば、シャンデリア、ランプ、又は壁付燭台）のオーナメント固定具における多数の同様な又は異なる固定具とともに使用することができる。
【００５５】
図８は、本発明の或る観点によるその他のオーナメント固定具４０の斜視図である。本発明の前記観点において、オーナメント固定具４０は、図１〜６に関して記載されるように、ビーズ２０及び宝石２２を保持する取り付けアレンジメント１２を有する円筒形状フレーム４１を含んでいる。本発明の前記観点において、円筒形状フレーム４１は、図１の平らなフレーム１１をロールさせることによって製造された。明確化するために、代表的なビーズ２０及び宝石２２を有する円筒形状フレーム４１の代表的な１部分のみを、図８に示す。オーナメント固定具４０は、それ自体のみで使用するか、あるいは、オーナメント固定具の中の多数の同様な、又は異なる固定具、例えば、オーナメント照明固定具（例えば、シャンデリア、ランプ、又は壁付燭台）と共に使用することができる。
【００５６】
図７Ａ、図７Ｂ及び図８は、先行技術において見出されていない本発明のその他の観点を示す。これらの図面に示されているオーナメント（例えば、図７Ａ、図７Ｂ及び図８における八角形状クリスタル宝石２２）のいくつかは、オーナメントの中心を通過していない穿孔を有するオーナメントであって、つまり、前記タイプのオーナメントの重心の位置は、オーナメントを取り付けポスト１８へ取り付ける貫通孔の位置から相殺されている。先行技術によると、例えば、ペンダログ（pendalog）又はペアシェイプのペンダントの前記オーナメントをフレームへ取り付ける場合に、通常、前記オーナメントの位置は重力によって支配される。通常、重心に作用する重力のために、前記オーナメントはそれらの軸が下方向に向くように配向される。先行技術によると、通常、非垂直配向の任意のその他のタイプは、複雑で高価なブラケット、フック、又はその他の結合物（attachment）の使用を必要とし、オーナメントを非垂直方向へ配向させる。本発明の或る観点によると、追加の取り付けハードウエアを必要とすることなく、任意の所望の位置へ前記オーナメントを取り付けることができるように、取り付けアレンジメントが提供される。図７Ａ、図７Ｂ及び図８の八角形状クリスタル宝石２２の種々の配向は、非従来的で、非垂直な、本発明により提供されるクリスタル位置の実施例である。本発明の前記観点の一般的な特徴は、図１１に示される。
【００５７】
図１１は、本発明のその他の観点によるその他の取り付けアレンジメント又は固定具８０を示しており、ここで、取り付けアレンジメント又は固定具８０は、重力からの影響を受けないか、又は、ほとんど受けずに前記オーナメント１つ以上の取り付け配向を変化させることができる。図１１は、取り付けフレーム８１（例えば、前記フレーム１１と同様のフレーム）の代表的な断面を示す。本発明の前記観点において、フレーム８１の破線９２によって表されている表面は、破線８３によって表されている垂直方向（the vertical）に対して、角度Φで位置している。フレーム８１は、取り付けポスト８４（例えば、前記取り付けポスト１８と同様の取り付けポスト）少なくとも１つを有する開口部８２（例えば、図１〜６の三角形開口部）少なくとも１つを含む。図１１に示されるように、前記取り付けアレンジメントの通常の態様、つまり、取り付けオーナメント８５に対して取り付けポスト８４を偏向させることができる態様で、貫通孔８６（破線で示す）を有するオーナメント８５を取り付けピン又はポスト８４へ取り付けることができる。本発明の前記観点において、オーナメント８５は、点８７で表される重心と、点線８９で表される垂直方向に対して角度Θで配向されている軸８８とを有している。本発明の前記観点において、オーナメント８５の貫通孔８６は、重心８７を貫通することはないが、しかしながら、本発明によると、軸８８の配向は垂直ではなく、重力及び従来技術によって決定される。例えば、先行技術によると、貫通孔８６が重心８７を垂直方向で貫通していないので、例えば、角度Θが実質的にゼロであるように、オーナメント８５を垂直方向へ配向させて、オーナメント８５における曲げモーメントがつくられる。しかしながら、本発明の前記観点によると、重心８７から貫通孔８６の相殺によって生じる曲げモーメントは、オーナメント８５と少なくとも取り付けポスト８４と、そして、或る観点において、開口部８２の内部表面との間の接触に対して抵抗する。
【００５８】
本発明の前記観点によると、オーナメント８５の軸を任意の所望の方向へ配向させることができる。例えば、本発明の或る観点において、角度Θと角度Φとがほぼ等しくなるように（例えば、角度Φが約４５度である場合に、角度Θは約４５度であるように）、オーナメント８５を取り付けポスト８４へ取り付けることができる。本発明のその他の観点において。角度Θを角度Φによって変化させることができる。例えば、本発明の前記観点において、本発明の前記観点では、フレーム８１の表面に対して実質的に平行に配置されるように示されている取り付けポスト８４の配向を、フレーム８１の表面に対して平行である状態から変化させることができる。例えば、取り付けポスト８４は、表面９２の配向の角度から変化する、つまり、角度Φから変化する角度を有することができる。オーナメント８５の配向の変動は、開口部８２の内部表面の幾何学によって決定されるか、又は、補佐されることができる。本発明の或る観点において、例えば、貫通孔８６が軸８８に対して実質的に直角である場合に、垂直に対する取り付けポスト８４の配向は角度Θとほぼ同じであることができる。本発明のその他の観点において、貫通孔８６は軸８８に対して直角ではなく、取り付けポスト８４の配向の角度によって角度Θが変化することができる。角度Θ及びΦならびに取り付けポスト８４の角度のその他の幾何学的構造は、当業者にとって明確である。本発明の或る観点によると、表面８２は、図７Ａ及び７Ｂに示されている平らな表面であるか、又は、図８に示されている湾曲した表面であることができる。
【００５９】
図９は、本発明のその他の観点による、オーナメント取り付けアレンジメント又は固定具５０の平面図である。本発明の前記観点において、取り付けアレンジメント５０は、フレーム５１（例えば、フレーム１１の前記性質を有する平らなフレーム）を含み、そして、リーフ形状の取り付けアレンジメント５２及び５３を有している。本発明の前記観点によると、取り付けアレンジメント５２は、花形開口部５６と取り付けポスト５８とを含み、そして、取り付けアレンジメント５３は、花形開口部５７と複数の取り付けポスト５９とを含む。代表的なオーナメントビーズ２０及び宝石２２が、取り付けアレンジメント５２中に取り付けられている状態で示されており、そして、代表的なビーズ２０が取り付けアレンジメント５３中に取り付けられている状態で示されている。同様に、代表的なビーズ２０及び７０も、取り付けアレンジメント５２中に取り付けられている状態で示されており；前記の例において、ビーズ７０はビーズ２０よりも小さい。更に、複数の代表的なビーズ７０及び７２が、取り付けアレンジメント５３中に取り付けられている状態で示されており；前記の例において、ビーズ７２はビーズ７０よりも小さい。本発明の前記観点によると、図３〜５に示される取り付けポスト１８上へのオーナメントの取り付けと同じ態様で、ビーズ２０,７０及び７２並びに宝石２２を、取り付けポスト５８及び５９へ取り付けることができる。つまり、ポスト５８及び５９を第１ポジション（図中に示される）から第２ポジションへ偏向させ、そして、次にポスト５８及び５９を第１ポジション（図９中に示される）へ戻すことによって、オーナメント２０,２２,７０及び７２を、アレンジメント５２及び５３中に取り付けることができる。本発明の観点の特徴であるのは、個々のポスト５８及び５９と開口部５６及び５７の個々の内部表面とによって、次に、オーナメント２０,２２,７０及び７２が、取り付けアレンジメント５２及び５３中で保持されることである。本発明の或る観点において、その他のオーナメントとの接触によって、オーナメントが取り付けアレンジメント５０中で保持されることもできる。例えば、図９の取り付けアレンジメント５３に示されるように、取り付けピン５９上に取り付けられているオーナメント２０及び７２を、隣接するオーナメント２０,７２との接触によって、ピン５９上で保持することもできる。同様に、図９に示されるように、取り付けアレンジメント５３中のオーナメント２０を、隣接する１つ以上のオーナメント２０との接触によって、ピン５９上で保持することができる。本発明の或る観点において、オーナメント２０,２２,７０及び７２を、取り付けポスト５８及び／又は５９と、開口部５６及び／又は５７の内部表面と、隣接する１つ以上のオーナメントとによって、保持することができる。本発明のその他の観点において、取り付けポスト５８及び／又は５９と、隣接する１つ以上のオーナメントとによって、オーナメント２０,２２,７０及び７２を保持することができ、つまり、開口部５６又は５７の内部表面を使用せずに、１つ以上の隣接するオーナメントのみによって保持することができる。オーナメント取り付けアレンジメント５０を、それ自体のみで��用するか、あるいは、オーナメント固定具の中の多数の同様な、又は異なる固定具、例えば、オーナメント照明固定具（例えば、シャンデリア、ランプ、又は壁付燭台）と共に使用することができる。
【００６０】
図１０は、本発明のその他の観点による、その他のオーナメント取り付けアレンジメント又は固定具６０の平面図である。本発明の前記観点において、取り付けアレンジメント６０は、フレーム６１（例えば、フレーム１１の前記性質を有する平面又は円形フレーム）を含み、そして、複数の取り付けアレンジメント６２を有する。本発明の前記観点によると、各々の取り付けアレンジメント６２は、ダイアモンド形状開口部６６及び取り付けポスト６８を含む。代表的なオーナメントビーズ２０及び宝石７４は、２つの取り付けアレンジメント６２中へ取り付けられている状態で示されている。更に、本発明の前記観点によると、図３〜５に示されるオーナメントの取り付けポスト１８への取り付けと同様の態様で、ビーズ２０及び宝石７４を、取り付けピン又はポスト６８へ取り付けることができる。本発明の或る観点において、宝石７４は、宝石７４の中心を貫通していない貫通孔を有するオーナメントであり、例えば、中心を外れた貫通孔を有するその他タイプのオーナメントを使用することができるが、宝石７４は、前記宝石２２と同様の八角形状クリスタル宝石であることができる。本発明の観点の特徴であるのは、ポスト６８と開口部６６の内部表面とによって、オーナメント２０及び７４が取り付けアレンジメント６２中に保持されることである。オーナメント取り付けアレンジメント６０は、それ自体のみで使用するか、あるいは、オーナメント固定具の中の多数の同様な、又は異なる固定具、例えば、オーナメント照明固定具（例えば、シャンデリア、ランプ、又は壁付燭台）と共に使用することができる。
【００６１】
本発明のその他の観点によると、図１０に示される取り付けアレンジメント又は固定具６２を、図１２に示されるような取り付けアレンジメント又は固定具９０へ組み込むことができる。本発明の前記観点において、フレーム９１（例えば、フレーム１１の前記性質を有する平らな又は円形状フレーム）中に１つ以上の列を成している複数の取り付けアレンジメント６２が提供される。各々のアレンジメント６２は、図１２に示される開口部６６（例えば、ダイアモンド形状開口部）及び取り付けポスト６８を含む。フレーム９１は、（図中に）示されているような長方形であることもできるが、任意の円形、台形、又は多角形を使用することができ、そして、例えば、円形、正方形、又は長方形の中央開口部９２を含む。図１０に関して記載されているように、取り付けアレンジメント６２は、取り付けポスト６８へ取り付けられる任意のタイプのオーナメントを有することができる。本発明の或る観点において、例えば、八角形状クリスタル宝石７４（図１０中に示される宝石７４と同様の）の複数のオーナメントを、取り付けアレンジメント６２上へ取り付けることができる。全部ではないが、ほとんどの取り付けアレンジメント６２は、通常、宝石７４を含むが、代表的な宝石７４の４つを図１２中に示す。本発明の或る観点において、宝石７４は、宝石７４の中心を貫通していない貫通孔を有するオーナメントであり、例えば、中心を外れた貫通孔を有するその他タイプのオーナメントを使用することができるが、宝石７４は、前記宝石２２と同様の八角形状クリスタル宝石であることができる。本発明の観点の特徴であるのは、ポスト６８と開口部６６の内部表面とによって、宝石７４が取り付けアレンジメント６２中に保持されることである。オーナメント取り付けアレンジメント９０は、それ自体のみで使用するか、あるいは、オーナメント固定具の中の多数の同様な、又は異なる固定具、例えば、オーナメント照明固定具（例えば、シャンデリア、ランプ、又は壁付燭台）と共に使用することができる。
【００６２】
図１３〜１６は、本発明の更なる観点を示す。これらの図面は、オーナメント１つ以上に咬み合っているワイヤー１つ以上によって、１つ以上のオーナメントをフレーム又は固定具へ保持するという本発明の観点を示す。本発明の前記観点によると、本明細書中では、用語「ワイヤー」を使用し議論を単純化するが、前記用語「ワイヤー」は、任意のフィラメントタイプ部材であって、例えば、金属、非金属（例えば、プラスチック）ロッド、ワイヤー、ストリング、コード、又は、本明細書に記載され、そして、示されている機能を果たすために使用される関連した要素を意味することができる。
【００６３】
図１３は、本発明の或る観点による取り付けアレンジメント又は固定具１００の正面図である。図１４は、図１３に示されるアレンジメント１００の背面図である。本発明の前記観点において、アレンジメント１００は、ワイヤー１０６の１つ以上によってフレーム１０４へ取り付けられるオーナメント１０２の１つ以上を含む。本発明の或る観点において、１つ以上のワイヤー１０６を適合し、複数のオーナメント１０２へ咬み合わせることができる。オーナメント１０２は、前記オーナメント２０及び２２に関して記載される１つ以上のオーナメントであることができる。図１３及び１４において円形のプレートとして示されているが、フレーム１０４は、例えば、フレーム１１の前記性質を有する任意のタイプの平らな又は平らではないフレーム、円形状又は非円形状フレームであることができる。本発明の或る観点において、フレーム１０４は、図１１に示されるフレーム１１と同様のフレーム；図１〜６,７Ａ及び７Ｂに示されるフレームパネル１４；図８に示されるフレーム４１；図９に示されるフレーム５１；図１０に示されるフレーム６１；図１１に示されるフレーム８１；又は図１２に示されるフレーム９１；及びオーナメントを取り付けるために使用することのできるその他のタイプのフレームを含まれる。フレーム１０４は開口部又は孔１０７を含み、前記開口部又は孔１０７を使用して、アレンジメント１００をその他の構造（例えば、照明固定具）へ取り付けることができる。
【００６４】
本発明の或る観点によると、フレーム１０４は、複数のオーナメント１０２を配置することができる複数の開口部又は穿孔部１０８を含む。図１３及び１４に示される開口部１０８はダイアモンド形であるが、本発明の或る観点において、開口部１０８は、オーナメント１０２を受け取るために適合される任意の形状、例えば、任意の通常の形状（多角形、円形、楕円形、及びその他の形状を挙げることができる）をとることができる。或る観点によると、開口部１０８の少なくとも１つの寸法は、オーナメント１０２少なくとも１つの寸法よりも小さくすることができるので、オーナメント１０２を開口部１０８へ配置する場合に、オーナメント１０２は開口部１０８の末端部少なくとも１つを支える。オーナメント１０２のサイズと、開口部１０８のサイズとの関係は、図１５においてより明確に示されている。図１５は、図１３の線１５から見た、図１３及び１４に示されるアレンジメント１００の断面図である。本発明の或る観点において、開口部１０８をオーナメント１０２よりも小さくすることができるが、本発明のその他の観点では、開口部１０８をオーナメント１０２よりも大きくすることができる。例えば、開口部１０８がオーナメント１０２よりも大きい場合において、固定具１００の上部が下方に導かれる場合（つまり、図１５に示されるアレンジメントが逆転する場合）には、１つ以上のワイヤー１０６の実質的にそれ自体のみによってオーナメントを保持することができる。
【００６５】
図１５に示されるように、本発明の或る観点によると、オーナメント１０２は穿孔部又は貫通孔１１０少なくとも１つを含み、前記穿孔部又は貫通孔１１０へワイヤー１０６を挿入し、オーナメント１０２をフレーム１０４上へ保持することができる。本発明の或る観点によると、オーナメント１０２は、貫通孔１１０の少なくとも２つを含み、そして、ワイヤー１０６は、貫通孔１０６の少なくとも２つへ通過することができる。ワイヤー１０６は、例えば、鉄、鋼、ステンレス鋼、アルミニウム、チタン、ニッケル、銅、銀、又は金、及びその他の金属製の金属であることができる。本発明の或る観点において、ワイヤー１０６は、例えばプラスチックであって、例えば、ワイヤー１０６は、ポリエチレン（ＰＥ）、ポリプロピレン（ＰＰ）、ポリエステル（ＰＥ）、ポリテトラフルオロエチレン（ＰＴＦＥ）、アクリロニトリルブタジエンスチレン（ＡＢＳ）、及び、その他のプラスチック製であることができる。本発明の或る観点において、例えば、オーナメント１０２中に複数の穿孔部１１０をあけるのに適するような成形可能な任意の材料から、ワイヤー１０６を製造することができる。ワイヤー１０６は円形のワイヤーとして示されているが、ワイヤー１０６は多様な断面形状、例えば、円形、長円形、三角形、長方形、正方形、又はその他の任意の多角形の形状である断面形状を有することができる。本発明の或る観点によると、コートされた、又はコートされていないワイヤーからワイヤー１０６を製造することができる。或る観点において、例えば、約０．０２０インチ〜約０．０３０インチの直径を有する、約０．０１０インチ〜約０．１２５インチのワイヤーからワイヤー１０６を製造することができる。本発明の或る観点において、直径０．０２６インチを有するニッケル−クロムワイヤーからワイヤー１０６を作ることができる。本発明の或る観点において、例えば、図３０に示されるように、ワイヤー１０６は、いくらかの構造的剛性、つまり、少なくともいくらかのアキシアル荷重（axial load；つまり、カラム荷重；column load）、に耐えることができ、そして、側方の偏向をほとんど又は全く受けないことのできる十分な剛性を有することができる。前記特徴は、例えば、図２８〜３０に示されるような、列をなす一連のオーナメントへワイヤー１０６を通過させる場合に、特に有効であることができる。本発明の或る観点において、複数のオーナメントを貫通させるか、又は、「串刺し」にするのに使用することのできるロッドあるいは細長いピンを、ワイヤー１０６が含まれる。本発明に或る観点において、例えば、ドローイング、スタンピング、又はレーザー、ウォータージェット、プレートからのＥＤＭ切断、及びその他の方法による通常の手段によって、ロッド１０６を加工することができる。
【００６６】
本発明の或る観点によると、機械的留め具によって、ワイヤー１０６をフレーム１０４へ完全に取り付ける（例えば、ろう付けする、溶接させる、又は結合させる）ことができる。本発明のその他の観点によると、ワイヤー１０６をフレーム１０４へ完全に取り付けられるのではなく、ワイヤー１０６と、フレーム１０４と、オーナメント１０２との間の機械的干渉によって、ワイヤー１０６をフレーム１０４へ保持するか、又は、捕えることができる。例えば、本発明の或る観点において、ワイヤー１０６によって、オーナメント１０２をフレーム１０４上で保持するか、又は、捕えることができる。特に、或る観点において、オーナメント１０２が開口部１０８よりも寸法が大きい場合であって、オーナメント１０２を開口部１０８中へ（例えば、図１５中で示されるように）配置し、そして、ワイヤー１０６を孔１１０へ挿入する場合に、ワイヤー１０６とフレーム１０４との接触によって、オーナメント１０２が開口部１０８から取り除かれることを防ぎ、オーナメント１０２を捕えることができる。
【００６７】
本発明の或る観点において、ワイヤー１０６を操作し、フレーム１０４上へのオーナメント１０２の捕捉を高めることができる。或る観点において、ワイヤー１０６は第１末端及び第２末端を含むことができ、前記第１末端及び第２末端は、例えば、単純にねじるか、又は、融合（例えば、溶接）させること、あるいは、機械的留め具を境界末端１０９へ提供することによって、相互に結合するか、又は、拘束することができる。或る観点において、拘束された又はねじられたワイヤー１０６の末端部１０９を、例えば、溶接又は機械的留め具によって、フレーム１０４へ結合することができる。本発明のその他の観点において、例えば、ワイヤー１０６をクリンピングすること、あるいは、オーナメント１０２又はフレーム１０４のあたりでワイヤー１０６の末端部を曲げることによって、ワイヤー１０６の末端部を変形させて、オーナメント１０２中の１つ以上の孔１１０からワイヤー１０６が外れるのを最小化させるか、又は、防ぐことができる。本発明のその他の観点において、例えば、溶接又は機械的留め具の従来の手段によって、ワイヤー１０６の自由末端をフレーム１０４へ拘束させることができる。
【００６８】
本発明の或る観点によると、個々のワイヤー１０６を少なくともいくつかの開口部１０８へ関連させることができ、そして、ワイヤーの個々の長さをフレーム１０４へ取り付けることができるので、例えば、図１〜６に示されるように、ポスト又はピンを開口部１６中へ突出させる方法と同じ態様で、個々のワイヤーを開口部１０８へ突出させることができる。本発明の或る観点において、例えば、ブレージング、又は、溶接、あるいは、結合剤による結合によって、ワイヤー１０６の個々の長さをフレーム１０４へ融合させることができる。本発明の或る観点によると、例えば、フレーム１０４に対して或る角度（例えば、図４に示される角度α）で、フレーム１０４と実質的に同一平面上にある第１ポジションから、第２ポジションへ個々のワイヤー１０６を偏向させることによって、図３〜５に示される方法と同じ態様で、オーナメント１０２を個々のワイヤー１０６へ取り付けることができる。オーナメント１０２を個々のワイヤー１０６へ取り付け、次に、ポスト又はピン１８用に図５に示される第１ポジションへワイヤー１０６を戻すことができる。本発明の或る観点によると、前記態様においてオーナメント１０２をワイヤー１０６へ取り付けることによって、ワイヤー１０６と、開口部１８の内部表面少なくとも１つとによって、開口部１０８中でオーナメント１０２を保持することができる。
【００６９】
明細書中に記載されているように、図１３〜１５に示される本発明の観点を、図１〜１２に開示される枠組みのうちの任意の１つへ適用することができる。例えば、図１〜８に関して、フレーム（図示されている）から１つ以上のポスト又はピンを除去することができ、そして、例えば、図１３〜１５に示されるワイヤー１０６のワイヤーによって、オーナメント（図示されている）をそれぞれのフレームへ取り付けることができる。同様に、図９〜１２に示されるアレンジメントに関して、図９のピン５８,図１０のピン６８,図１１のピン８４，又は、図１２のピン６８のうちの１つ以上を、除去し、そして、図１３〜１５のうちの１つ以上のワイヤー１０６によって、それらに保持機能を提供することができる。或る観点において、ピン１８，５８，６８又は８４を、例えば、溶接によって、それぞれのフレームへ取り付けられている個々のワイヤーにより置き換えることができ；ピン１８，５８，６８又は８４のうちの１つ以上を、図１３〜１５に関して記載されているオーナメントの２つ以上へ嵌め込めれている１つ以上のワイヤー１０６によって置き換えることができる。例えば、図１６は、ワイヤーを使用して、図１０に示されるフレーム６１と同様のフレームによってオーナメントを保持する本発明の或る観点を示している。
【００７０】
当業者には明確であるが、本発明の観点によると、図１３〜１５に示されるワイヤー取り付けアレンジメントは、図１〜６のポスト又はピン１８によって提供される制御と同様の態様で、オーナメント１０２の配置及び配向にわたる所望の制御を提供することができる。本発明の観点によると、オーナメント１０２の形状を補うように設計されるプレート１０４中へ開口部１０８を提供することによって、オーナメント１０２とワイヤー１０６（又はピン１８）、及び、開口部１０８の内部表面とワイヤー１０６（又はピン１８）とを相互に作用させることによって、重力の作用をほとんど、又は、全く必要とせずに、オーナメント１０２を予め定めた位置へ配置、そして、配向させる。或る観点において、オーナメント１０２によって正確に補われるように開口部１０８を設計し、オーナメント１０２が開口部１０８の内部表面を相互に作用させるか、支えるか、又は接触するので、オーナメント１０２を望むように配置、そして、配向させることができる。
【００７１】
図１６は、本発明のその他の観点による、その他のアレンジメント又は固定具１２０の背面図である。例えば、図１６は、固定具１２０を見る人が通常可視することができない固定具１２０の図を表す。アレンジメント１２０は複数のオーナメント１２２を含み、前記オーナメント１２２は、１つ以上のワイヤー１２６によってフレーム１２４中に取り付けられる。フレーム１２４は、図１０のフレーム６１と同様であるが、フレーム６１のピン６８及びそれらの機能はワイヤー１２６によって置き換えられている。ワイヤー１２６は、通常、図１３〜１５に記載のワイヤー１０６としての全ての特性、及び、取り付け手段を有することができる。オーナメント１２２は、前記オーナメント２０，２２の全ての特性を有し、そして、フレーム１２４は、前記フレーム１１の全ての特性を有する。
【００７２】
図１７は、本発明の或る観点による、更なるオーナメント固定具１３０の斜視図である。図１７中に示されるオーナメント固定具１３０は、図８中に示されるオーナメント固定具４０と同様のものである。図１８は、図１７に示される発明の観点の正面立面図であり、そして、図１９は、図１７に示される発明の観点の頂面図である。
【００７３】
図１７に示されるように、固定具１３０は、オーナメント１３４及び１３６を有する多穿孔（multi-apertured）円筒形状フレーム１３２を含み、前記オーナメント１３４及び１３６は、例えば、開口部１３８中に取り付けられている複数のオーナメント１３４及び／又は複数のオーナメント１３６である。図１８中にはっきりと示されるように、固定具１３０は、水平構造におけるオーナメントの２つの列１３５を含む。図２０及び２１に示されるように、或る観点において、１つ以上の列１３５が提供される。本発明の或る観点によると、列１３５を垂直に配向させるか、又は、例えば、フレーム１３２の末端部から約４５度の角度の傾斜角で配向させることもできる。本明細書に記載の本発明の任意の観点が、例えば、水平に、垂直に、傾斜角で、又はそれらの組み合わせで配向させることができる列１３５と同様の列を含むことを理解されたい。
【００７４】
フレーム１３２は円形円筒形として示されているが、フレーム１３２は、三角形円筒形状、長方形円筒形状、立方体状、６角形円筒形状、８角形円筒形状、球状、又はピラミッド形状、及びその他の形状であることもできる。同様に、図１７中において、オーナメント１３４は多面体の球状として、そして、オーナメント１３６は多面体の８角形状として示されているが、本発明の観点によると、オーナメント１３４及び１３６は、例えば、図２に示されるオーナメント２０及び２２に関して記載される任意の前記オーナメントの１つ以上であることができる。更に、フレーム１３２は、例えば、前記材料１つ以上から製造されるという、図１に示されるフレームに関して記載される特性の１つ以上を有することができる。図１７に示されるように、フレーム１３２中の開口部１３８は、本発明の観点として通常、三角形の形状であることができ、そして、オーナメント１３４及び１３６を取り付けることのできるポスト又はピン（図示せず）少なくとも１つを有することができる。その他の実施態様に関して本明細書中に記載されているように、フレーム１３２中の開口部１３８は、その他の形状、例えば、図９，１０及び１２、及びその他に示される開口部の形状を取ることができる。
【００７５】
本発明の或る観点によると、オーナメント１３４及び１３６を、本発明の観点に記載のように、フレーム１３２へ、又は、その中へ取り付けることができる。例えば、オーナメント１３４及び／又は１３６少なくとも１つか、あるいは、オーナメント３つ以上を、図１〜６に関して記載され、示されるような態様と本質的に同一又は同様な態様で、フレーム１３２上のピン又はポストへ取り付けることができる。例えば、フレーム１３２へ取り付けられるポスト又はピンを、第１ポジションから第２ポジションへ偏向させ、オーナメント１つ以上を取り付け、そして、次に、オーナメント１つ以上を有するポストを第１ポジションへ戻すことによって、オーナメント１つ以上をフレーム１３０へ取り付けることができる。本発明では典型的であるが、オーナメント１つ以上を有するポストを第１ポジションへ戻す場合に、ピンと、フレーム１３２中の開口部１３８少なくとも１つの側面とによって、オーナメント１つ以上を保持することができる。
【００７６】
本発明のその他の観点において、図１３〜１６に関して記載され、示されているのと同じ態様で、１つ以上のワイヤー（図示せず）によって、オーナメント１３４，１３６少なくとも１つを、固定具１３０のフレーム１３６へ取り付けることができる。
【００７７】
図２０は、本発明の或る観点による、更なるオーナメント固定具１４０の正面立面図である。図２０に示されるように、固定具１４０は、オーナメント１４４及び１４６の複数個を有する多穿孔円筒フレーム１４２を含み、前記オーナメント１４４及び１４６は、図１７〜１９に関して記載され、示されるオーナメント１３４及び１３６と同様であり、開口部１４８中に取り付けられる。図２０に示されるオーナメント固定具１４０は、図１７〜２０に示されるオーナメント固定具１３０と同様であるが、単列（single row）１４５を有する。本発明の観点によると、前記ピン又はポスト（図示せず）か、又は、前記ワイヤーの１つ以上かによって、オーナメント１４４及び１４６をフレーム１４２へ取り付けることができる。
【００７８】
図２１は、本発明の或る観点による、更なるオーナメント固定具１５０の正面立面図である。図２１に示されるように、固定具１５０は、オーナメント１５４及び１５６の複数個を有する多穿孔円筒フレーム１５２を含み、前記オーナメント１５４及び１５６は、図１７〜１９に関して記載され、示されるオーナメント１３４及び１３６と同様であり、開口部１５８中に取り付けられる。図２０に示されるオーナメント固定具１５０は、図１７〜１９に示されるオーナメント固定具１３０と同様であるが、例えば、６列（それより多いか、又は、少ない列１５５を提供することもできる）の複数列のオーナメント１５５を有する。本発明の或る観点によると、列１５５を、垂直に導く（directed）か、又は、例えば、フレーム１５２から約４５度の角度の傾斜角で導くことができる。本発明の観点によると、前記ピン又はポスト（図示せず）か、あるいは、前記ワイヤーのうちの１つ以上（図示せず）かによって、オーナメント１５４及び１５６をフレーム１５２へ取り付けることができる。
【００７９】
図２２〜２６は、本発明の更なる観点の斜視図である。図２２は、オーナメント固定具１６１を有する照明固定具１６０の斜視図である。本発明の観点によると、オーナメント固定具１６１は、図１〜２１に示されるアレンジメント及び固定具と同様であることができる。例えば、図２２に示されるように、或る観点において、オーナメント固定具１６１は、図１７〜２１に示される固定具と同様であることができる。図２２に示されるように、照明固定具１６０は、電源/支持体コード１６３によって支持されるランプホルダー１６２を含む。ランプホルダー１６２は、電球又は同様の光源１６５を保持し、そして、オーナメント固定具１６１を支持するのに適合される。本発明の或る観点において、複数の支持体ポスト１６６によって、オーナメント固定具１６１をランプホルダー１６２へ取り付けることができる。支持体ポスト１６６をランプホルダー１６２と一体化させることができ、例えば、単一部品として鋳造若しくは鍛造するか、又は溶接することによって、あるいは、機械的留め具によって、支持体ポスト１６６をランプホルダー１６２へ取り付けることができる。同様に、オーナメント固定具１６１のフレームを支持体ポスト１６６と一体化させることができ、例えば、オーナメント固定具１６１のフレームを、支持体ポスト１６６へ、単一部品として鋳造若しくは鍛造するか、又は溶接することによって、あるいは、機械的留め具によって、オーナメント固定具１６１を支持体ポスト１６６へ取り付けることができる。本発明の或る観点において、オーナメント固定具１６１中のオーナメントは、１色以上の色を含むことができ、例えば、一方のオーナメントタイプが緑であって、他方のオーナメントタイプがピンクであることができる。特に、オーナメント固定具１６１又は照明固定具１６０のサイズ（例えば、長さ又は直径）が、場所、設計、及び用途によって決定されることは、当業者にとって明白である。
【００８０】
図２３は、本発明のその他の観点による、オーナメント固定具１７１を有するその他の照明固定具１７０の斜視図である。オーナメント固定具１７１は、図１〜２１に示されるアレンジメント及び固定具と同様であることができる。例えば、図２３に示されるように、或る観点において、オーナメント固定具１７１は図１７〜２１に示される固定具と同様であることができる。図２３に示されるように、照明固定具１７０はランプホルダー１７２を有し、前記ランプホルダー１７２は、表面１７３へ取り付けられる電源／支持体ポスト１７４によって支持されている。本発明の或る観点において、照明固定具１７０を「トラックライト（track lighting）」として使用する、つまり、照明固定具１７０上に取り付けられる水平トラック（図示せず）へ、ポスト１７４を調節可能に取り付けるように適合させることができる。図２３に示されるように、ランプホルダー１７２を支持体ポスト１７４へ調節可能であるように取り付けることができ、それによって、例えば、ボールソケット又は同様の接続によって、ランプホルダー１７２を支持体１７４へ取り付けることができように、ランプホルダー１７２の配向の方向を変化させることができる。本発明の或る観点において、照明固定具１７０は、指方向性又は照準可能な（aimable）照明固定具（例えば、照準可能なスポットライト）を含まれる。或る観点によると、照明固定具１７０の照明の配向を付けることができる方向を変化させることができる。例えば、ポスト１７４を有するボールソケット接続によって、照明固定具１７０をスイベルで回転（swivel）させ、照明のビーム（beam）を任意の所望の場所（例えば、天井、床、壁、構造物の近く、又は芸術作品、及びその他のアイテムに向かって）に対して配向を付けることができる。
【００８１】
ランプホルダー１７２を、電球又は同様の光源１７５を保持するように適合させ、そして、オーナメント固定具１７１を支持するように適合させることができる。図２２に示される照明固定具１６０と同様の態様で、本発明の或る観点において、複数の支持体ポスト１７６によって、オーナメント固定具１７１をランプホルダー１７２へ取り付けることができる。支持体ポスト１７６をランプホルダー１７２と一体化させることができ、例えば、単一部品として鋳造若しくは鍛造するか、又は溶接することによって、あるいは、機械的留め具によって、支持体ポスト１７６をランプホルダー１７２へ取り付けることができる。同様に、オーナメント固定具１７１を支持体ポスト１７６と一体化させることができ、例えば、オーナメント固定具１７１のフレームを、支持体ポスト１７６へ、単一部品として鋳造若しくは鍛造するか、又は溶接することによって、あるいは、機械的留め具によって、オーナメント固定具１７１を支持体ポスト１７６へ取り付けることができる。照明固定具１７０は、１つ以上のオーナメント装飾具（embellishments；例えば、ランプホルダー１７２へ取り付けられる多角形の球１７９）も含まれる。本発明の或る観点において、オーナメント固定具１７１中のオーナメントは、１色以上の色を含まれる。特に、オーナメント固定具１７１又は照明固定具１７０のサイズ（例えば、長さ又は直径）が、場所、設計、及び用途によって決定されることは、当業者にとって明白である。
【００８２】
図２３に示される照明固定具１７０は、先行技術と比較した本発明の有利な観点の１つを例示する。本明細書に記載のように、照明固定具１７０は、室内中における任意の所望の場所を照準することができる。しかしながら、先行技術オーナメント取り付けアレンジメントとは異なり、照明固定具１７０の方向における変化は、固定具１７１中に取り付けられるオーナメントの相対的な位置又は配向に対してほとんど又は全く影響を及ぼさない。重力によってオーナメントの位置又は配向に劇的な影響を及ぼすことのできる、フック、チェーン、又はその他の装置によってオーナメントをけんかすることのできるオーナメントの先行技術の取り付けとは異なり、本発明の観点（例えば、照明固定具１７０）は、照明固定具の方向が変化する場合に、オーナメントの位置又は配向での影響をほとんど又は全く受けない。固定具の配置における変化によって生じることができるオーナメント位置又は配向における劇的な変動によって、通常、指方向性又は照準可能な照明固定具（例えば、スポットライト）が避けられる。本発明の観点は、指方向性照明用の新しい設計の可能性を提供する。
【００８３】
図２４は、本発明のその他の観点による、オーナメント固定具１８１を有するその他の照明固定具１８０の斜視図である。オーナメント固定具１８１は、図１〜２１に示されるアレンジメント及び固定具と同様であることができる。例えば、図２４に示されるように、或る観点において、オーナメント固定具１７１は、図１〜６，７Ａ及び７Ｂに示される固定具と同様であることができる。例えば、図２４に示されるように、オーナメント固定具１８１は、複数のオーナメントを付けたフレームパネル１８８（例えば、図１及び２に示されるフレームパネル１４と同様のオーナメントを付けたフレームパネル）を含まれる。図７Ａ及び７Ｂに示されるように、オーナメントを付けたパネルは、ピラミッド形状構造へ形成されることができる。図２４に示されるように、本発明の或る観点によると、オーナメントを付けたフレームパネル１８８は、ファセット球（faceted sphere）及びその他の形状へ形成されることができる。図２４に示される観点において、図１及び２におけるパネル１４と同様の三角形フレームパネル１８８から、２０個の三角形パネルを作り、ファセット球を提供することができる。図２４に示される観点において、前記の２０個の三角形パネルは、頂上部と下底部において、ピラミッド構造で補われる。前記頂上部は先端が断ち切られており、構造の内部への接近が可能である。特に、オーナメント固定具１８１又は照明固定具１８０のサイズ（例えば、長さ又は直径）が、場所、設計、及び用途によって決定されることは、当業者にとって明白である。
【００８４】
図２４に示されるように、照明固定具１８０は、電源／支持体コード１８４に支持される固定具中に取り付けられたランプホルダー１８２を含む。本発明の或る観点において、照明固定具１８０を「トラックライト」として使用する、つまり、照明固定具１８０上に取り付けられる水平トラック（図示せず）へ、コード１８４を調節可能に取り付けるように適合させることができる。ランプホルダー１８２は、固定具１８１中の電球又は同様の光源を保持し、そして、オーナメント固定具１８１を支持するのに適合される。図２２に示される照明固定具１６０と同様の態様では、本発明のある観点において、複数の支持体ブレース（brace；図示せず）によって、オーナメント固定具１８１をランプホルダー１８２へ取り付けることができる。前記支持体ブレースは、ランプホルダー１８２と一体化させることができ、例えば、単一部品として鋳造若しくは鍛造するか、又は溶接することによって、あるいは、機械的留め具によって、オーナメント１８１を支持体ブレースへ取り付けることができる。本発明の或る観点において、オーナメント固定具１８１のオーナメントは、１色以上の色を含むことができ、例えば、固定具１８１における一方のオーナメントタイプが緑であって、他方のオーナメントタイプがピンクであることができる。
【００８５】
図２５は、本発明のその他の観点による、オーナメント固定具１９１を有するその他の照明固定具１９０の斜視図である。更に、オーナメント固定具１９１は、図１〜２１に示されるオーナメントアレンジメント及び固定具と同様であることができる。例えば、図２５に示されるように、或る観点において、オーナメント固定具１９１は、図８及び１７〜２１に示される固定具と同様であることができる。例えば、図２５に示されるように、そーナメント固定具１９１は、図２０に示される固定具１４０を含まれる。
【００８６】
図２５に示されるように、照明固定具１９０は、オーナメント固定具１９１上に取り付けられるランプホルダー１９２を含む。ランプホルダー１９２を表面１９３中に取り付けることができ、つまり、照明固定具１９０は、「凹型の」照明固定具を含むこともできる。本発明の或る観点において、照明固定具１９０は、表面１９３の後ろに設置される電気コード（図示せず）によって動く凹型照明固定具を含む。ランプホルダー１９２は、電球又は同様の光源１９５を保持するのに適合される。照明ホルダー１９２は、盾形（Escutcheon）１９６を含まれる。本発明の或る観点において、通常の手段によって、オーナメント固定具１９１をランプホルダー１９２へ（例えば、盾形１９６へ）取り付けることができる。例えば、固定具１９１を、照明ホルダー１９２とともに、単一部品として鋳造若しくは鍛造するか、又は溶接することによって、あるいは、機械的留め具によって、ランプホルダー１９２へ取り付けることができる。本発明の或る観点において、オーナメント固定具１９１中のオーナメントは、１色以上の色を含まれる。
【００８７】
図２６は、本発明のその他の観点による、チェーン又はコード２０７によって懸架されているオーナメント固定具２０１を有するその他の照明固定具２００の斜視図である。オーナメント固定具２０１は、図１〜２１に示されるオーナメント固定具と同様であることができる。例えば、図２６に示されるように、或る観点において、オーナメント固定具２０１は、図２，９，１０，１２，１３，１４及び１６に示される固定具と同様であることができる。例えば、図２６に示されるように、オーナメント固定具２０１は、図１２に示される固定具９０を含まれる。
【００８８】
図２６に示されるように、照明固定具２００は、オーナメント固定具２０１上に取り付けられるランプホルダー２０２を含む。ランプホルダー２０２を表面２０３中に取り付けることができ、つまり、照明固定具２００は、「凹型の」照明固定具を含むこともできる。本発明の或る観点において、照明固定具２００は、凹型照明固定具を含み、前記照明固定具は、表面２０３の後ろに設置される電気コード（図示せず）によって動く。ランプホルダー２０２は、電球又は同様の光源２０５を保持するのに適合される。照明ホルダー２０２は、盾形２０６を含む。本発明の或る観点において、オーナメント固定具２０１は、チェーン又はコード２０７（例えば、チェーン又はコード２０７少なくとも１つ）によって、盾形２０６から懸架されることができる。チェーン２０７としては、例えば、チェーン、コード、ロープ、ストリング、ワイヤーなどの任意の細長い張力要素（tensile element）が含まれる。チェーン２０７としては、例えば、取り付けポスト又はロッドの剛性エレメントも含まれる。しかしながら、図２６に示されるように、或る観点において、チェーン２０７は、複数のボールチェーンを含まれる。例えば、固定具２０１のフレームと盾形２０６との穿孔部又は孔へチェーン２０７を通し、そして、より大きな直径のボール又はコネクタ（ボールチェーンに取り付けられる）によって、前記構造から懸架することができるように、前記ボールチェーンを、通常の手段によって盾形２０６と固定具２０１とへ取り付けることができる。本発明のある観点において、チェーン又はコード２０７、あるいは、その他の張力要素（例えば、ポスト又はロッド）の長さを、固定具のサイズによって、約０．１２５インチ〜約６フィートまで変化させることができる。しかしながら、チェーン、コード、ポスト又はロッド２０７の長さを、通常、約０．１２５インチ〜約６インチまで変化させることができる。本発明の或る観点において、例えば、チェーン又はロッド２０７を必要とせずに、機械的留め具によって、固定具２０１を直接盾形２０６へ取り付けることができる。本発明の或る観点において、オーナメント固定具２０１におけるオーナメントは、１色以上の色を含まれる。
【００８９】
図２７は、本発明のその他の観点による、オーナメント固定具２１１を有するその他の照明固定具２１０の斜視図である。オーナメント２１１は、フレーム２１１Ａと、八角形オーナメント２１９複数個を有する懸架されたオーナメントチェーン２１７複数個とを含むが、本発明の観点において、例えば、オーナメント２０及び２２に関して本明細書中に記載の任意のタイプのオーナメントを使用することができる。本発明のその他の観点に関して本明細書中に記載されるようなポスト、ピン、又はワイヤーのうちの１つ以上によって、オーナメントチェーン２１７をフレーム２１１Ａへ取り付けることができる。オーナメント固定具２１１は、図１〜２６に示され、記載される固定具と同様であることができる。例えば、図２７に示されるように、或る観点において、オーナメント２１１は、図２，９，１０，１２，１３，１４，１６及び２６に示される固定具と同様であることができる。例えば、図２７に示されるように、オーナメント固定具２１１は、図２６に示される固定具２０１、又は、図１２に示される固定具９０を含まれる。
【００９０】
図２７に示されるように、照明固定具２１０は、オーナメント固定具２１１上に取り付けられるランプホルダー２１２を含む。ランプホルダー２１２は表面２１３中に取り付けることができ、つまり、照明固定具２１０は「凹型」照明も含まれる。本発明の或る観点において、照明固定具２１０は、凹型照明固定具を含み、前記照明固定具は、表面２１３の後ろに設置される電気コード（図示せず）によって動く。ランプホルダー２１２は、電球又は同様の光源２１５を保持するのに適合される。照明ホルダー２１２は、盾形２１６を含む。本発明の或る観点において、例えば、スペーサー２１４Ａ及びねじ２１４Ｂの機械的留め具によって、オーナメント固定具２１１を縦型２１６へ取り付けることができる。本発明の或る観点において、スペーサー２１４Ａの長さを、固定具のサイズによって、約０．１２５インチ〜約６インチまで変化させることができる。しかしながら、スペーサー２１４Ａの長さは、通常、約０．１２５インチ〜約１インチまで変化させることができる。本発明の或る観点において、オーナメント固定具２１１中のオーナメントは、１色以上の色を含まれる。
【００９１】
図２８，２９及び３０は、それぞれ、本発明のその他の観点によるその他のオーナメント固定具２２０の正面立面図、側面立面図、及び背面立面図である。アレンジメント２２０は、穿孔されたオーナメント複数個のオーナメント２２２複数個を含み、前記オーナメントは、例えば、開口部２２３を有するフレーム２２４中へ取り付けられる。前記のピン又はポストによって、オーナメント２２２をフレーム２２４中へ取り付けることができるが、図３０に示されるように、或る観点において、１つ以上のワイヤー又はロッド２２６（図３０参照）によって、オーナメント２２２をフレーム２２４へ取り付けることができる。或る観点において、図１３〜１６に示される本発明の観点と実質的に同一である態様で、ワイヤー２２６によって、オーナメント２２２をフレーム２２４へ取り付けることができる。例えば、或る観点において、オーナメント２２２中の穿孔部へワイヤー２２６を嵌め込み、次に、開口部２２３の内部表面とワイヤー２２６とを相互に作用させることによって、開口部２２３中のオーナメント２２２を保持することによって、オーナメント２２２をフレーム２２４へ取り付け、オーナメント２２２を予め定めた位置で保持し、そして、配向させる。
【００９２】
本発明の観点によると、オーナメント２２２は、オーナメント２０及び２２に関して記載されるオーナメント１つ以上を含み；フレーム２２４は、フレーム１１に関して記載される特性を有するフレームを含み；開口部２２３は、オーナメント２２２を受け取るのに適合する任意の形状の開口部を含み；そして、ワイヤー２２６は、ワイヤー１０６に関して記載される特性を有するワイヤー、ロッド、又はフィラメントを含まれる。本発明の或る観点において、フレーム２２４としては、本質的に平坦なフレーム、円筒形状フレーム、又は、種々の三次元形状、例えば、球状（例えば、ファセット球）、ピラミッド形状、様々な多面体、及びその他の任意の通常の三次元形状が含まれる。しかしながら、図２９にもっとも明確に示されるように、或る観点において、フレーム２２４は、この場合、曲がりくねった形状を有する湾曲した穿孔プレートを含む。本発明の或る観点によると、フレーム２２４の湾曲の半径を、固定具２２０のサイズによって、約１インチ〜約１０フィートまで変化させることができる。
【００９３】
図３０は、本発明の観点の多くの利点のうちの１つを示す。固定具２２０のオーナメント２２２は、線状態様、つまり、オーナメント２２２を列２２５で配列（arrange）する態様で配列（arrange）される。本発明の観点によると、列２２５へのオーナメント２２２の配列（arrange）によって、固定具２２０の組み立てが容易になる。特に、オーナメント２２２を列２２５へ並べることによって、オーナメント２２２の穿孔部を実質的に並べることができるので、組立者は、より簡単にワイヤー又はロッド２２６を開口部へ通し、オーナメントを開口部２２３中へ嵌め込むことができる。本発明の或る観点において、ワイヤー又はロッド２２６の通過又は貫通を手動で行うことができ；その他の観点において、例えば、ロボット操作によって、ワイヤー又はロッド２２６を自動で通すか、又は、貫通させることができる。図２８〜３０に示される本発明の観点において、オーナメント２２２を、ダイアモンド形状の開口部２２３の列２２５（織り交ぜられるか、又は、互いに入り組んでいる）中へ配列（arrange）し、例えば、八角形のオーナメント２２２を提供することができる。しかしながら、本発明の観点によると、開口部２２３を任意の通常の態様で配列（arrange）し、成形することによって、オーナメント２２２の形状及びオーナメント２２２の穿孔部の配列を提供し、組み立てを容易にすることができる。本発明の或る観点において、オーナメント２２２の配列を線状に配列（arrange）することなく、所望の設計の指示によって、オーナメント２２２少なくとも１つの配列を線状性から変化させることができる。例えば、図１３及び１４に示されるように、湾曲した態様（例えば、湾曲した線上、あるいは、円形又は楕円形パターン中に）で、オーナメント２２２を配列（arrange）することができる。その他の観点において、オーナメント２２２のアレンジメントは、転移又は置換（例えば、ほとんど又は全く線状を示さない）を含まれる。本発明の或る観点において、２つ以上のワイヤー２２６をオーナメント２２２へ通過させることか、又は、ワイヤー２２６を手動で貫通させることによって、前記非線状アレンジメントを提供することができる。オーナメント２２２及び開口部２２３のその他のアレンジメントは、当業者に明確であろう。
【００９４】
本明細書に記載のオーナメント取り付けアレンジメント、オーナメント取り付け方法、及びオーナメントを付けた固定具の特徴、特性及び／又は利点を、任意の実施態様へ適用及び／又は拡大（例えば、任意のその部分への適用及び／又は拡大）できることは、当業者によって理解されるであろう。
【００９５】
本発明のいくつかの観点が本明細書中に詳細に記載され、そして、描写されているが、本発明の本質に左右されずに修正、追加、及び、置換などを、行うことができ、そして、従って、これらは特許請求の範囲及びその均等物として規定される本発明の本質的な範囲として考えられることは、当業者に明確であろう。
【図１】
2007520861.tif 000003
【図２】
2007520861.tif 000004
【図３】
2007520861.tif 000005
【図４】
2007520861.tif 000006
【図５】
2007520861.tif 000007
【図６】
2007520861.tif 000008
【図７Ａ】
2007520861.tif 000009
【図７Ｂ】
2007520861.tif 000010
【図８】
2007520861.tif 000011
【図９】
2007520861.tif 000012
【図１０】
2007520861.tif 000013
【図１１】
2007520861.tif 000014
【図１２】
2007520861.tif 000015
【図１３】
2007520861.tif 000016
【図１４】
2007520861.tif 000017
【図１５】
2007520861.tif 000018
【図１６】
2007520861.tif 000019
【図１７】
2007520861.tif 000020
【図１８】
2007520861.tif 000021
【図１９】
2007520861.tif 000022
【図２０】
2007520861.tif 000023
【図２１】
2007520861.tif 000024
【図２２】
2007520861.tif 000025
【図２３】
2007520861.tif 000026
【図２４】
2007520861.tif 000027
【図２５】
2007520861.tif 000028
【図２６】
2007520861.tif 000029
【図２７】
2007520861.tif 000030
【図２８】
2007520861.tif 000031
【図２９】
2007520861.tif 000032
【図３０】
2007520861.tif 000033
【手続補正書】
【提出日】平成18年9月14日(2006.9.14)
【手続補正１】
【補正対象書類名】特許請求の範囲
【補正対象項目名】全文
【補正方法】変更
【補正の内容】
【特許請求の範囲】
【請求項１】
内部表面をもつ開口部少なくとも１つを有するフレームと；
フレームから突出しており、フレームに取り付けられる第１末端部、及び、オーナメント中の穿孔部へ挿入するように適合される第２自由末端部を有している前記取り付けポスト少なくとも１つと；
を含む装飾オーナメントを取り付けるアレンジメントであって、
オーナメントを取り付けポストへ取り付ける場合に、取り付けポストと開口部の内部表面とによって、オーナメントが保持される、前記アレンジメント。
【請求項２】
第１末端部がフレームへ一体化して取り付けられている、請求項１に記載のアレンジメント。
【請求項３】
開口部少なくとも1つの内部表面が連続的な内部表面を含む、請求項１又は２に記載のアレンジメント。
【請求項４】
取り付けポスト少なくとも１つが軟質の取り付けポストを含む、請求項１〜３のいずれか一項に記載のアレンジメント。
【請求項５】
軟質の取り付けポストが、弾性及び可塑性偏向に適合する、請求項４に記載のアレンジメント。
【請求項６】
オーナメントを取り付けるために、軟質の取り付けポストが、第１ポジションから第２ポジションまでの可塑性偏向へ適合する、請求項４又は５に記載のアレンジメント。
【請求項７】
開口部が平面を規定し、そして、第１ポジションは開口部の前記平面と実質的に平行であり、第２ポジションは開口部の前記平面と実質的に非平行である、請求項６に記載のアレンジメント。
【請求項８】
開口部が、円形開口部、楕円形開口部、及び多角形開口部、及び三角形開口部のうちの１つを含む、請求項１〜７のいずれか一項に記載のアレンジメント。
【請求項９】
取り付けポスト少なくとも１つが、複数の取り付けポストを含む、請求項１〜８のいずれか一項に記載のアレンジメント。
【請求項１０】
装飾オーナメントが、ビーズ、クリスタル、石、及び宝石のうちの１つを含む、請求項１〜９のいずれか一項に記載のアレンジメント。
【請求項１１】
装飾オーナメントが重心及び軸を含み、そして、前記オーナメントの穿孔部がオーナメントの重心を通過するアレンジメントであって、
オーナメントを取り付けポストへ取り付ける場合に、前記オーナメントの軸が垂直方向に対して０度よりも大きな角度をつくる、請求項１〜１０のいずれか一項に記載の前記アレンジメント。
【請求項１２】
オーナメントの軸が垂直方向に対して、５度よりも大きい角度をつくる請求項１１に記載のアレンジメント。
【請求項１３】
フレームの表面が、垂直方向に対して角度Φをなす線を規定し、オーナメントの軸が垂直方向に対して角度Θをなし、そして、角度Θは角度Φとほとんど等しい、請求項１１又は１２に記載のアレンジメント。
【請求項１４】
フレームの表面が、垂直方向に対して角度Φをなす線を規定し、オーナメントの軸が垂直方向に対して角度Θをなし、そして、角度Θは角度Φと等しくない、請求項１１又は１２に記載のアレンジメント。
【請求項１５】
装飾オーナメントが重心及び軸を含み、そして、前記オーナメント中の穿孔部がオーナメントの重心を通過しないアレンジメントであって、
オーナメントを取り付けポストへ取り付ける場合、取り付けポスト少なくとも１つと開口部の内部表面とによって、取り付けポストに対して実質的に垂直である予め定めた配向へオーナメントを保持する、請求項１〜１０のいずれか一項に記載の前記アレンジメント。
【請求項１６】
オーナメントが、隣接したオーナメントによって更に保持される、請求項１〜１５のいずれか一項に記載のアレンジメント。
【請求項１７】
取り付けポストが、ワイヤー及びピンのうちの１つを含む、請求項１〜１６のいずれか一項に記載のアレンジメント。
【請求項１８】
請求項１〜１７のいずれか一項に記載のアレンジメントを含むオーナメント固定具。
【請求項１９】
オーナメント固定具が照明固定具を含む、請求項１８に記載のオーナメント固定具。
【請求項２０】
照明固定具が、シャンデリア、ランプ、スポットライト、及び壁付燭台を含む、請求項１８に記載のオーナメント固定具。
【請求項２１】
照明固定具が凹型照明固定具を含む、請求項１９又は２０に記載のオーナメント固定具。
【請求項２２】
照明固定具が照準可能な照明固定具である、請求項１８〜２１のいずれか一項に記載のオーナメント固定具。
【請求項２３】
フレームが、実質的に平坦なフレーム、実質的に円筒状なフレーム、曲線状フレーム、球状フレーム、ピラミッド形状フレーム、及び、多角形状フレームのうちの１つを含む、請求項１８〜２２のいずれか一項に記載のオーナメント固定具。
【請求項２４】
フレームが、少なくとも１つのチェーンによって懸架されるフレームを含む、請求項１８〜２３のいずれか一項に記載のオーナメント固定具。
【請求項２５】
アレンジメント中で装飾オーナメントを取り付ける方法であって：
少なくとも１つの取り付けポストを第１ポジションから第ポジションへ偏向させ；
第２ポジションにおける少なくとも１つの取り付けポスト上へオーナメントを取り付け；
オーナメントを有する取り付けポスト少なくとも１つを第１ポジションへ偏向させ；そして、
取り付けポスト少なくとも１つと開口部少なくとも１つの内部表面とによって、少なくとも１つの開口部中でオーナメントを保持する；
ことを含む、請求項１〜１７のいずれか一項に記載の方法。
【請求項２６】
偏向させることが、弾性偏向及び可塑性偏向を含む、請求項２５に記載の方法。
【請求項２７】
開口部が平面を規定し、そして、第１ポジションにおいて、取り付けポストは開口部の前記平面に対して実質的に平行であり、第２ポジションにおいて、取り付けポストは開口部の前記平面に対して実質的に非平行である、請求項２５又は２６に記載の方法。
【請求項２８】
第１ポジションから第２ポジションへの取り付けポストの偏向が、取り付けポストが開口部の平面に対して少なくとも５度の角度をつくるように、取り付けポストを可塑的に偏向させることを含む、請求項２５又は２６に記載の方法。
【請求項２９】
隣接したオーナメントとの接触によって、開口部中のオーナメントを保持することを含む、請求項２５〜２８のいずれか一項に記載の方法。
【請求項３０】
装飾オーナメントの複数個を取り付けるアレンジメントであって：
開口部の複数個、第１サイド、及び、前記第１サイドと対向する第２サイドをもつフレームと、ここで、複数の開口部の各々は内部表面をもち、前記開口部の各々は複数のオーナメントのうちの少なくとも１つを受け取るのに適合されるものとし；
フレームの第２サイド上での開口部へ複数のオーナメントを挿入するように適合される取り付けポスト少なくとも１つと;
を含むアレンジメントであって、
取り付けポスト及び開口部の内部表面のうちの少なくとも１つによって、フレームの第１サイド上での複数の開口部のうちの１つにおいて、複数の装飾のオーナメントの各々が保持される、前記アレンジメント。
【請求項３１】
取り付けポスト少なくとも１つが第１末端部及び第２末端部を含み、そして、前記第１末端部を第２末端部へ結合させる、請求項３０に記載のアレンジメント。
【請求項３２】
取り付けポスト少なくとも１つをフレームへ結合させる、請求項３０又は３１に記載のアレンジメント。
【請求項３３】
開口部の各々がオーナメント複数個を保持するように適合され、そして、前記オーナメント複数個が開口部複数個のうちの１つにおいて保持される、請求項３０〜３２のいずれか一項に記載のアレンジメント。
【請求項３４】
取り付けポスト少なくとも１つが取り付けポスト１つを含む、請求項３０〜３３のいずれか一項に記載のアレンジメント。
【請求項３５】
取り付けポスト少なくとも１つが、ピン少なくとも１つと、ワイヤー少なくとも１つとのうちの１つを含む、請求項３０〜３４のいずれか一項に記載のアレンジメント。
【請求項３６】
装飾オーナメントの複数個をアレンジメント中に取り付ける方法であって：
フレームの第１サイド上での開口部複数個の中へ、オーナメント複数個を配置し、ここでオーナメント穿孔部は第一サイドと対向するフレームの第２サイドから接近可能であるものとする；
ワイヤー少なくとも１つをフレームの第２サイド上のオーナメント穿孔部複数個へ通過させ；そして、
ワイヤー少なくとも１つと開口部の内部表面とによって開口部中の複数のオーナメントを保持する；
ことを含む、請求項３０〜３５のいずれか一項に記載の前記方法。
【請求項３７】
前記取り付けポスト少なくとも１つが、第１末端部及び第２末端部を含み、そして、オーナメント穿孔部の複数個へ取り付けポスト少なくとも１つを通過させた後で、第１末端部と第２末端部とを結合させることを前記方法が更に含む、請求項３６に記載の方法。
【請求項３８】
結合が、一緒にねじること及び融合させることを含む、請求項３７に記載の前記方法。
【請求項３９】
取り付けポスト少なくとも１つをフレームへ結合させることを更に含む、請求項３６〜３８のいずれか一項に記載の前記方法。
【請求項４０】
隣接したオーナメントと接触させることによって、開口部中でオーナメントを保持することを更に含む、請求項３６〜３８のいずれか一項に記載の方法。
【国際調査報告】
2007520861.tif 000034
2007520861.tif 000035
2007520861.tif 000036
2007520861.tif 000037
2007520861.tif 000038